(57)【要約】  本発明の複数の実施形態は、カメラ制御方法、ユーザ機器、およびカメラを提供する。本発明によって提供されるカメラ制御方法は、検出要求メッセージをＩＰマルチメディアサブシステムＩＭＳに送信する段階であって、上記検出要求メッセージは検出命令を含み、上記ＩＭＳが上記検出要求メッセージをカメラに転送した後、上記検出命令は、上記検出命令に従い、デバイス情報を伝送する検出応答メッセージを、上記ＩＭＳを使用することによって、ユーザ機器ＵＥに送信するよう上記カメラに対し、命令するために使用される、送信する段階と、上記ＩＭＳによって返される上記検出応答メッセージを受信する段階と、上記検出応答メッセージ内に含まれる上記カメラの上記デバイス情報に従い、対応するパラメータ情報および複数のファンクションキーを表示する段階と、を含む。本発明の複数の実施形態は、ＵＥはＩＭＳを使用することによって、フロントエンドカメラのビデオコンテンツをモニタリングできるのみで、フロントエンドカメラをインテリジェントに認識できないという先行技術における問題を解決し、カメラのデバイス情報のインテリジェントな表示および柔軟なリモートコントロールを実施する。
2017506007.tif 000002
【特許請求の範囲】
【請求項１】
検出要求メッセージをＩＰマルチメディアサブシステムＩＭＳに送信する段階であって、前記検出要求メッセージは検出命令を含み、前記ＩＭＳが前記検出要求メッセージをカメラに転送した後、前記検出命令は、前記検出命令に従い、デバイス情報を伝送する検出応答メッセージを前記ＩＭＳに送信するよう前記カメラに対し、命令するために使用され、その結果、前記ＩＭＳは前記検出応答メッセージをユーザ機器ＵＥに返す、送信する段階と、
前記ＩＭＳによって返される前記検出応答メッセージを受信する段階と、
前記検出応答メッセージ内に含まれる前記カメラの前記デバイス情報に従い、対応するパラメータ情報および複数のファンクションキーを表示する段階であって、その結果、ユーザが前記複数のファンクションキーに従い、前記カメラを制御する、表示する段階と、を備える、カメラ制御方法。
【請求項２】
前記ユーザが前記ファンクションキーを操作するときに生成される制御命令を受信する段階と、
前記制御命令を前記ＩＭＳに送信する段階であって、その結果、前記カメラが前記ＩＭＳによって転送される前記制御命令を受信後、前記カメラは対応する操作を実行する、送信する段階と、をさらに備える、請求項１に記載の方法。
【請求項３】
アイテムリストが前記ＵＥにおいてプリセットされる場合、前記アイテムリストは前記検出命令に含まれ、その結果、前記カメラに対し、前記アイテムリストに従い、前記デバイス情報を伝送する前記検出応答メッセージを前記ＩＭＳに送信するよう命令し、
前記検出応答メッセージ内に含まれる前記カメラの前記デバイス情報に従い、対応するパラメータ情報および複数のファンクションキーを前記表示する段階は、
前記カメラの前記デバイス情報を、前記ＵＥにおいてプリセットされた前記アイテムリストにマッピングする段階と、前記デバイス情報に対応する前記パラメータ情報および複数のファンクションキーを表示する段階と、を含む、請求項１または２に記載の方法。
【請求項４】
前記カメラの前記デバイス情報が前記アイテムリストに存在しないアイテムを含む場合、前記検出応答メッセージ内に含まれる前記カメラの前記デバイス情報に従い、対応するパラメータ情報および複数のファンクションキーを前記表示する段階の前に、前記方法は、
前記カメラの前記デバイス情報に従い、前記ＵＥにおいてプリセットされた前記アイテムリストを更新する段階であって、その結果、前記カメラの前記デバイス情報について、前記ＵＥは、前記対応するパラメータ情報を表示し、対応する前記複数のファンクションキーを生成する、更新する段階をさらに備える、請求項３に記載の方法。
【請求項５】
前記ユーザによって送信される更新命令に従い、前記ＵＥにおいてプリセットされた前記アイテムリストを更新する段階、または
前記デバイス情報が前記カメラの複数の機能の拡張によって増えた場合、前記ＩＭＳによって前記ＵＥに転送される更新命令を使用することによって、前記ＵＥにおいてプリセットされた前記アイテムリストを更新する段階、をさらに備える、請求項１から４のいずれか一項に記載の方法。
【請求項６】
前記デバイス情報は、前記カメラのユーザ情報、使用情報、および機能情報を含み、前記検出応答メッセージ内に含まれる前記カメラの前記デバイス情報に従い、対応するパラメータ情報および複数のファンクションキーを前記表示する段階は、
前記カメラの前記ユーザ情報および使用情報を前記検出応答メッセージから取得し、前記カメラの前記パラメータ情報を前記ＵＥ上に表示する段階と、
前記カメラのサポートされる前記機能情報を前記検出応答メッセージから取得し、前記機能情報に対応する前記複数のファンクションキーを前記ＵＥ上に生成する段階と、を含む、請求項１から５のいずれか一項に記載の方法。
【請求項７】
前記ユーザの前記ファンクションキーのｏｎ／ｏｆｆ選択に従い、ｏｎ／ｏｆｆ制御命令を前記ＩＭＳに送信する段階であって、その結果、前記カメラが前記ＩＭＳによって転送される前記ｏｎ／ｏｆｆ制御命令を受信後、前記カメラは対応する機能を有効または無効にする、送信する段階をさらに備える、請求項６に記載の方法。
【請求項８】
前記機能情報はパン‐チルト‐ズームＰＴＺおよび自動モーション検出を含み、前記ＵＥ上に生成される前記複数のファンクションキーは、前記ＰＴＺおよび前記自動モーション検出の複数のキーを含む、請求項６または７に記載の方法。
【請求項９】
ユーザ機器ＵＥによって送信され、ＩＰマルチメディアサブシステムＩＭＳによって転送される検出要求メッセージを受信する段階であって、前記検出要求メッセージは検出命令を含む、受信する段階と、
前記検出命令に従い、カメラのデバイス情報を伝送する検出応答メッセージを前記ＩＭＳに送信する段階であって、その結果、前記ＩＭＳは前記検出応答メッセージを前記ＵＥにフィードバックし、前記検出応答メッセージは、前記ＵＥが前記デバイス情報に従い、対応するパラメータ情報および複数のファンクションキーを表示できるようにするために使用される、送信する段階と、を備える、カメラ制御方法。
【請求項１０】
前記ＵＥによって送信され、前記ＩＭＳによって転送される制御命令を受信する段階と、
前記制御命令によって示される、前記ファンクションキーの操作に従い、対応する操作を実行する段階と、をさらに備える、請求項９に記載の方法。
【請求項１１】
アイテムリストが前記ＵＥにおいてプリセットされる場合、前記アイテムリストは前記検出命令に含まれ、前記検出命令に従い、カメラのデバイス情報を伝送する検出応答メッセージを前記ＩＭＳに前記送信する段階は、
前記アイテムリストに従い、前記カメラの前記デバイス情報を伝送する前記検出応答メッセージを前記ＩＭＳに送信する段階を含む、請求項９または１０に記載の方法。
【請求項１２】
前記カメラの前記デバイス情報が前記アイテムリストに存在しないアイテムを含む場合、前記検出応答メッセージは、前記ＵＥが前記デバイス情報に従い、前記ＵＥにおいてプリセットされた前記アイテムリストを更新できるようにするためにさらに使用される、請求項１１に記載の方法。
【請求項１３】
前記デバイス情報が前記カメラの複数の機能の拡張によって増えた場合、前記ＩＭＳを使用することによって更新命令を前記ＵＥに転送する段階であって、その結果、前記ＵＥは、前記更新命令に従い、前記プリセットされたアイテムリストを更新する、転送する段階をさらに備える、請求項９から１２のいずれか一項に記載の方法。
【請求項１４】
前記デバイス情報は、前記カメラのユーザ情報、使用情報、および機能情報を含み、前記方法は、
前記ＵＥによって送信され、前記ＩＭＳによって転送されるｏｎ／ｏｆｆ選択命令を受信する段階と、
前記ｏｎ／ｏｆｆ選択命令に従い、対応する機能を有効または無効にする段階と、をさらに備える、請求項９から１３のいずれか一項に記載の方法。
【請求項１５】
検出要求メッセージをＩＰマルチメディアサブシステムＩＭＳに送信するよう構成された送信モジュールであって、前記検出要求メッセージは検出命令を含み、前記ＩＭＳが前記検出要求メッセージをカメラに転送した後、前記検出命令は、前記検出命令に従い、デバイス情報を伝送する検出応答メッセージを前記ＩＭＳに送信するよう前記カメラに対し、命令するために使用され、その結果、前記ＩＭＳは前記検出応答メッセージをユーザ機器ＵＥに返す、送信モジュールと、
前記ＩＭＳによって返される前記検出応答メッセージを受信するよう構成された受信モジュールと、
前記受信モジュールによって受信される前記検出応答メッセージ内に含まれる前記カメラの前記デバイス情報に従い、対応するパラメータ情報および複数のファンクションキーを表示するよう構成された処理モジュールであって、その結果、ユーザが前記複数のファンクションキーに従い、前記カメラを制御する、処理モジュールと、を備える、ユーザ機器。
【請求項１６】
前記受信モジュールは、前記ユーザが前記ファンクションキーを操作するときに生成される制御命令を受信するようさらに構成され、
前記送信モジュールは、前記制御命令を前記ＩＭＳに送信するようさらに構成され、その結果、前記カメラが前記ＩＭＳによって転送される前記制御命令を受信後、前記カメラは対応する操作を実行する、ことをさらに含む、請求項１５に記載のユーザ機器。
【請求項１７】
アイテムリストが前記ＵＥにおいてプリセットされる場合、前記アイテムリストは前記検出命令に含まれ、その結果、前記カメラに対し、前記アイテムリストに従い、前記デバイス情報を伝送する前記検出応答メッセージを前記ＩＭＳに送信するよう命令し、
前記処理モジュールは、前記カメラの前記デバイス情報を、前記ＵＥにおいてプリセットされた前記アイテムリストにマッピングし、前記デバイス情報に対応する前記パラメータ情報および複数のファンクションキーを表示するよう特に構成される、請求項１５または１６に記載のユーザ機器。
【請求項１８】
前記カメラの前記デバイス情報が前記アイテムリストに存在しないアイテムを含む場合、前記受信モジュールによって受信される前記検出応答メッセージ内に含まれる前記カメラの前記デバイス情報に従い、前記対応するパラメータ情報および複数のファンクションキーを前記処理モジュールが表示する前に、前記カメラの前記デバイス情報に従い、前記ＵＥにおいてプリセットされた前記アイテムリストを更新するよう構成された更新モジュールであって、その結果、前記カメラの前記デバイス情報について、前記ＵＥは、前記対応するパラメータ情報を表示し、対応する前記複数のファンクションキーを生成する、更新モジュールをさらに備え、
前記更新モジュールは前記ユーザによって送信される更新命令に従い、前記ＵＥにおいてプリセットされた前記アイテムリストを更新する、または
前記デバイス情報が前記カメラの複数の機能の拡張によって増えた場合、前記ＩＭＳによって前記ＵＥに転送される更新命令を使用することによって、前記ＵＥにおいてプリセットされた前記アイテムリストを更新するようさらに構成される、請求項１７に記載のユーザ機器。
【請求項１９】
前記デバイス情報は、前記カメラのユーザ情報、使用情報、および機能情報を含み、前記処理モジュールは、前記カメラの前記ユーザ情報および使用情報を前記検出応答メッセージから取得し、前記カメラの前記パラメータ情報を前記ＵＥ上に表示し、前記カメラのサポートされる前記機能情報を前記検出応答メッセージから取得し、前記機能情報に対応する前記複数のファンクションキーを前記ＵＥ上に生成するよう特に構成される、請求項１５から１８のいずれか一項に記載のユーザ機器。
【請求項２０】
前記受信モジュールは、前記ユーザの前記ファンクションキーのｏｎ／ｏｆｆ選択操作を受信するようさらに構成され、
前記送信モジュールは、前記ユーザの前記ファンクションキーのｏｎ／ｏｆｆ選択操作に従い、ｏｎ／ｏｆｆ制御命令を前記ＩＭＳに送信するようさらに構成され、その結果、前記カメラが前記ＩＭＳによって転送される前記ｏｎ／ｏｆｆ制御命令を受信後、前記カメラは対応する機能を有効または無効にする、請求項１９に記載のユーザ機器。
【請求項２１】
ユーザ機器ＵＥによって送信され、ＩＰマルチメディアサブシステムＩＭＳによって転送される検出要求メッセージを受信するよう構成された受信モジュールであって、前記検出要求メッセージは検出命令を含む、受信モジュールと、
前記受信モジュールによって受信される前記検出命令に従い、カメラのデバイス情報を伝送する検出応答メッセージを前記ＩＭＳに送信するよう構成された送信モジュールであって、その結果、前記ＩＭＳは前記検出応答メッセージを前記ＵＥにフィードバックし、前記検出応答メッセージは、前記ＵＥが前記デバイス情報に従い、対応するパラメータ情報および複数のファンクションキーを表示できるようにするために使用される、送信モジュールと、を備える、カメラ。
【請求項２２】
前記受信モジュールは、前記ＵＥによって送信され、前記ＩＭＳによって転送される制御命令を受信するようさらに構成され、
処理モジュールが、前記受信モジュールによって受信される前記制御命令によって示される、前記ファンクションキーの操作に従い、対応する操作を実行するよう構成される、請求項２１に記載のカメラ。
【請求項２３】
アイテムリストが前記ＵＥにおいてプリセットされる場合、前記アイテムリストは前記検出命令に含まれ、前記送信モジュールは、前記アイテムリストに従い、前記カメラの前記デバイス情報を伝送する前記検出応答メッセージを前記ＩＭＳに送信するよう特に構成される、請求項２１または２２に記載のカメラ。
【請求項２４】
前記送信モジュールは、前記デバイス情報が前記カメラの複数の機能の拡張によって増えた場合、前記ＩＭＳを使用することによって更新命令を前記ＵＥに転送するようさらに構成され、その結果、前記ＵＥは、前記更新命令に従い、前記プリセットされたアイテムリストを更新する、請求項２１から２３のいずれか一項に記載のカメラ。
【請求項２５】
前記デバイス情報は、前記カメラのユーザ情報、使用情報、および機能情報を含み、前記受信モジュールは、前記ＵＥによって送信され、前記ＩＭＳによって転送されるｏｎ／ｏｆｆ選択命令を受信するようさらに構成され、
前記処理モジュールは、前記受信モジュールによって受信される前記ｏｎ／ｏｆｆ選択命令に従い、対応する機能を有効または無効にするようさらに構成される、請求項２１から２４のいずれか一項に記載のカメラ。
【発明の詳細な説明】
【技術分野】
【０００１】
［関連出願への相互参照］
本願は、２０１３年１１月２２日に中国特許庁に出願された、発明の名称「カメラ制御方法、ユーザ機器、およびカメラ」の中国特許出願第２０１３１０６０１７５８．６号に基づく優先権を主張し、当該出願は参照によりその全体が本明細書に組み込まれる。
【０００２】
本発明の複数の実施形態は、通信技術に関し、特にカメラ制御方法、ユーザ機器、およびカメラに関する。
【背景技術】
【０００３】
第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、略して３ＧＰＰ）ロングタームエボリューション（Ｌｏｎｇ  Ｔｅｒｍ  Ｅｖｏｌｕｔｉｏｎ、略してＬＴＥ）ネットワークにおいて、インターネットプロトコル（Ｉｎｔｅｒｎｅｔ  Ｐｒｏｔｏｃｏｌ、略してＩＰ）マルチメディアサブシステム（ＩＰ  Ｍｕｌｔｉｍｅｄｉａ  Ｓｕｂｓｙｓｔｅｍ、略してＩＭＳ）のアクセスおよび相互接続方式が定義されている。ＩＭＳの相互接続方式は依然としてＩＰチャネルに基づいている。ＩＰチャネルは既存の音声ネットワークおよびデータネットワーク間に相互作用を実施でき、ネットワークリソース、ユーザリソース、およびアプリケーションリソースに関する効果的な管理を実施でき、ユーザが複数の端末デバイスを使用して、クロスネットワーク方式での相互作用をさらに実施できるようにする。
【０００４】
現行では、ＩＭＳの主な用途は、例えば、ユーザ機器（Ｕｓｅｒ  Ｅｑｕｉｐｍｅｎｔ、略してＵＥ）を使用することによるフロントエンドカメラの制御である。具体的には、ＵＥはダイアルすることにより、フロントエンドカメラを呼び出し、フロントエンドカメラは自動応答メカニズムを実施する。呼び出しが確立された後、ＵＥはリアルタイムに確立されたビデオチャネルを使用して、フロントエンドカメラによりキャプチャされたコンテンツをモニタリングできる。
【０００５】
しかしながら、先行技術においては、ＵＥとフロントエンドカメラとの間に確立されたビデオチャネルで、ＵＥはＩＭＳを使用することによってフロントエンドカメラのビデオコンテンツをモニタリングできるのみで、フロントエンドカメラをインテリジェントに認識できない。
【発明の概要】
【０００６】
本発明の複数の実施形態は、ＵＥがＩＭＳを使用することによってフロントエンドカメラのビデオコンテンツをモニタリングできるのみで、フロントエンドカメラをインテリジェントに認識できないという先行技術における問題を解決するために、カメラ制御方法、ユーザ機器、およびカメラを提供する。
【０００７】
第１の態様によると、本発明の一実施形態は、検出要求メッセージをＩＰマルチメディアサブシステムＩＭＳに送信する段階であって、上記検出要求メッセージは検出命令を含み、上記ＩＭＳが上記検出要求メッセージをカメラに転送した後、上記検出命令は、上記検出命令に従い、デバイス情報を伝送する検出応答メッセージを上記ＩＭＳに送信するよう上記カメラに対し、命令するために使用され、その結果、上記ＩＭＳは上記検出応答メッセージをユーザ機器ＵＥに返す、送信する段階と、上記ＩＭＳによって返される上記検出応答メッセージを受信する段階と、上記検出応答メッセージ内に含まれる上記カメラの上記デバイス情報に従い、対応するパラメータ情報および複数のファンクションキーを表示する段階であって、その結果、ユーザが上記複数のファンクションキーに従い、上記カメラを制御する、表示する段階と、を備える、カメラ制御方法を提供する。
【０００８】
第１の態様に係る第１の可能な実施方式において、上記方法は、上記ユーザが上記ファンクションキーを操作するときに生成される制御命令を受信する段階と、上記制御命令を上記ＩＭＳに送信する段階であって、その結果、上記カメラが上記ＩＭＳによって転送される上記制御命令を受信後、上記カメラは対応する操作を実行する、送信する段階と、をさらに備える。
【０００９】
第１の態様または第１の態様に係る第１の可能な実施方式によると、第２の可能な実施方式において、アイテムリストが上記ＵＥにおいてプリセットされる場合、上記アイテムリストは上記検出命令に含まれ、その結果、上記カメラに対し、上記アイテムリストに従い、上記デバイス情報を伝送する上記検出応答メッセージを上記ＩＭＳに送信するよう命令し、上記検出応答メッセージ内に含まれる上記カメラの上記デバイス情報に従い、対応するパラメータ情報および複数のファンクションキーを上記表示する段階は、上記カメラの上記デバイス情報を、上記ＵＥにおいてプリセットされた上記アイテムリストにマッピングする段階と、上記デバイス情報に対応する上記パラメータ情報および複数のファンクションキーを表示する段階と、を含む。
【００１０】
第１の態様に係る第２の可能な実施方式によると、第３の可能な実施方式において、上記カメラの上記デバイス情報が上記アイテムリストに存在しないアイテムを含む場合、上記検出応答メッセージ内に含まれる上記カメラの上記デバイス情報に従い、対応するパラメータ情報および複数のファンクションキーを上記表示する段階の前に、上記方法は、上記カメラの上記デバイス情報に従い、上記ＵＥにおいてプリセットされた上記アイテムリストを更新する段階であって、その結果、上記カメラの上記デバイス情報について、上記ＵＥは、上記対応するパラメータ情報を表示し、対応する上記複数のファンクションキーを生成する、更新する段階をさらに備える。
【００１１】
第１の態様、または第１の態様に係る第１から第３の可能な実施方式のいずれかによると、第４の可能な実施方式において、上記方法は、上記ユーザによって送信される更新命令に従い、上記ＵＥにおいてプリセットされた上記アイテムリストを更新する段階、または上記デバイス情報が上記カメラの複数の機能の拡張によって増えた場合、上記ＩＭＳによって上記ＵＥに転送される更新命令を使用することによって、上記ＵＥにおいてプリセットされた上記アイテムリストを更新する段階、をさらに備える。
【００１２】
第１の態様、または第１の態様に係る第１から第４の可能な実施方式のいずれかによると、第５の可能な実施方式において、上記デバイス情報は、上記カメラのユーザ情報、使用情報、および機能情報を含み、上記検出応答メッセージ内に含まれる上記カメラの上記デバイス情報に従い、対応するパラメータ情報および複数のファンクションキーを上記表示する段階は、上記カメラの上記ユーザ情報および使用情報を上記検出応答メッセージから取得し、上記カメラの上記パラメータ情報を上記ＵＥ上に表示する段階と、上記カメラのサポートされる上記機能情報を上記検出応答メッセージから取得し、上記機能情報に対応する上記複数のファンクションキーを上記ＵＥ上に生成する段階と、を含む。
【００１３】
第１の態様に係る第５の可能な実施方式によると、第６の可能な実施方式において、上記方法は、上記ユーザの上記ファンクションキーのｏｎ／ｏｆｆ選択に従い、ｏｎ／ｏｆｆ制御命令を上記ＩＭＳに送信する段階であって、その結果、上記カメラが上記ＩＭＳによって転送される上記ｏｎ／ｏｆｆ制御命令を受信後、上記カメラは対応する機能を有効または無効にする、送信する段階をさらに備える。
【００１４】
第１の態様に係る第５または第６の可能な実施方式によると、第７の可能な実施方式において、上記機能情報はパン‐チルト‐ズームＰＴＺおよび自動モーション検出を含み、上記ＵＥ上に生成される上記複数のファンクションキーは、上記ＰＴＺおよび上記自動モーション検出の複数のキーを含む。
【００１５】
第２の態様によると、本発明の一実施形態は、ユーザ機器ＵＥによって送信され、ＩＰマルチメディアサブシステムＩＭＳによって転送される検出要求メッセージを受信する段階であって、上記検出要求メッセージは検出命令を含む、受信する段階と、上記検出命令に従い、カメラのデバイス情報を伝送する検出応答メッセージを上記ＩＭＳに送信する段階であって、その結果、上記ＩＭＳは上記検出応答メッセージを上記ＵＥにフィードバックし、上記検出応答メッセージは、上記ＵＥが上記デバイス情報に従い、対応するパラメータ情報および複数のファンクションキーを表示できるようにするために使用される、送信する段階と、を備える、カメラ制御方法を提供する。
【００１６】
第２の態様に係る第１の可能な実施方式において、上記方法は、上記ＵＥによって送信され、上記ＩＭＳによって転送される制御命令を受信する段階と、上記制御命令によって示される、上記ファンクションキーの操作に従い、対応する操作を実行する段階と、をさらに備える。
【００１７】
第２の態様または第２の態様に係る第１の可能な実施方式によると、第２の可能な実施方式において、アイテムリストが上記ＵＥにおいてプリセットされる場合、上記アイテムリストは上記検出命令に含まれ、上記検出命令に従い、カメラのデバイス情報を伝送する検出応答メッセージを上記ＩＭＳに上記送信する段階は、上記アイテムリストに従い、上記カメラの上記デバイス情報を伝送する上記検出応答メッセージを上記ＩＭＳに送信する段階を含む。
【００１８】
第２の態様に係る第２の可能な実施方式によると、第３の可能な実施方式において、上記カメラの上記デバイス情報が上記アイテムリストに存在しないアイテムを含む場合、上記検出応答メッセージは、上記ＵＥが上記デバイス情報に従い、上記ＵＥにおいてプリセットされた上記アイテムリストを更新できるようにするためにさらに使用される。
【００１９】
第２の態様、または第２の態様に係る第１から第３の可能な実施方式のいずれかによると、第４の可能な実施方式において、上記方法は、前記デバイス情報が前記カメラの複数の機能の拡張によって増えた場合、前記ＩＭＳを使用することによって更新命令を前記ＵＥに転送する段階であって、その結果、前記ＵＥは、前記更新命令に従い、前記プリセットされたアイテムリストを更新する、転送する段階をさらに備える。
【００２０】
第２の態様、または第２の態様に係る第１から第４の可能な実施方式のいずれかによると、第５の可能な実施方式において、上記デバイス情報は、上記カメラのユーザ情報、使用情報、および機能情報を含み、上記方法は、上記ＵＥによって送信され、上記ＩＭＳによって転送されるｏｎ／ｏｆｆ選択命令を受信する段階と、上記ｏｎ／ｏｆｆ選択命令に従い、対応する機能を有効または無効にする段階と、をさらに備える。
【００２１】
第３の態様によると、本発明の一実施形態は、検出要求メッセージをＩＰマルチメディアサブシステムＩＭＳに送信するよう構成された送信モジュールであって、上記検出要求メッセージは検出命令を含み、上記ＩＭＳが上記検出要求メッセージをカメラに転送した後、上記検出命令は、上記検出命令に従い、デバイス情報を伝送する検出応答メッセージを上記ＩＭＳに送信するよう上記カメラに対し、命令するために使用され、その結果、上記ＩＭＳは上記検出応答メッセージを上記ユーザ機器ＵＥに返す、送信モジュールと、上記ＩＭＳによって返される上記検出応答メッセージを受信するよう構成された受信モジュールと、上記受信モジュールによって受信される上記検出応答メッセージ内に含まれる上記カメラの上記デバイス情報に従い、対応するパラメータ情報および複数のファンクションキーを表示するよう構成された処理モジュールであって、その結果、ユーザが上記複数のファンクションキーに従い、上記カメラを制御する、処理モジュールと、を備える、ユーザ機器を提供する。
【００２２】
第３の態様に係る第１の可能な実施方式において、上記機器は、上記受信モジュールは、上記ユーザが上記ファンクションキーを操作するときに生成される制御命令を受信するようさらに構成され、上記送信モジュールは、上記制御命令を上記ＩＭＳに送信するようさらに構成され、その結果、上記カメラが上記ＩＭＳによって転送される上記制御命令を受信後、上記カメラは対応する操作を実行する、をさらに備える。
【００２３】
第３の態様または第３の態様に係る第１の可能な実施方式によると、第２の可能な実施方式において、アイテムリストが上記ＵＥにおいてプリセットされる場合、上記アイテムリストは上記検出命令に含まれ、その結果、上記カメラに対し、上記アイテムリストに従い、上記デバイス情報を伝送する上記検出応答メッセージを上記ＩＭＳに送信するよう命令し、上記処理モジュールは、上記カメラの上記デバイス情報を、上記ＵＥにおいてプリセットされた上記アイテムリストにマッピングし、上記デバイス情報に対応する上記パラメータ情報および複数のファンクションキーを表示するよう特に構成される。
【００２４】
第３の態様に係る第２の可能な実施方式によると、第３の可能な実施方式において、上記機器は、上記カメラの上記デバイス情報が上記アイテムリストに存在しないアイテムを含む場合、上記受信モジュールによって受信される上記検出応答メッセージ内に含まれる上記カメラの上記デバイス情報に従い、上記対応するパラメータ情報および複数のファンクションキーを上記処理モジュールが表示する前に、上記カメラの上記デバイス情報に従い、上記ＵＥにおいてプリセットされた上記アイテムリストを更新するよう構成された更新モジュールであって、その結果、上記カメラの上記デバイス情報について、上記ＵＥは、上記対応するパラメータ情報を表示し、対応する上記複数のファンクションキーを生成する、更新モジュールをさらに備え、上記更新モジュールは上記ユーザによって送信される更新命令に従い、上記ＵＥにおいてプリセットされた上記アイテムリストを更新する、または上記デバイス情報が上記カメラの複数の機能の拡張によって増えた場合、上記ＩＭＳによって上記ＵＥに転送される更新命令を使用することによって、上記ＵＥにおいてプリセットされた上記アイテムリストを更新するようさらに構成される。
【００２５】
第３の態様、または第３の態様に係る第１から第３の可能な実施方式によると、第４の可能な実施方式において、上記デバイス情報は、上記カメラのユーザ情報、使用情報、および機能情報を含み、上記処理モジュールは、上記カメラの上記ユーザ情報および使用情報を上記検出応答メッセージから取得し、上記カメラの上記パラメータ情報を上記ＵＥ上に表示し、上記カメラのサポートされる上記機能情報を上記検出応答メッセージから取得し、上記機能情報に対応する上記複数のファンクションキーを上記ＵＥ上に生成するよう特に構成される。
【００２６】
第３の態様に係る第４の可能な実施方式によると、第５の可能な実施方式において、上記受信モジュールは、上記ユーザの上記ファンクションキーのｏｎ／ｏｆｆ選択操作を受信するようさらに構成され、上記送信モジュールは、上記ユーザの上記ファンクションキーのｏｎ／ｏｆｆ選択操作に従い、ｏｎ／ｏｆｆ制御命令を上記ＩＭＳに送信するようさらに構成され、その結果、上記カメラが上記ＩＭＳによって転送される上記ｏｎ／ｏｆｆ制御命令を受信後、上記カメラは対応する機能を有効または無効にする。
【００２７】
第４の態様によると、本発明の一実施形態は、ユーザ機器ＵＥによって送信され、ＩＰマルチメディアサブシステムＩＭＳによって転送される検出要求メッセージを受信するよう構成された受信モジュールであって、上記検出要求メッセージは検出命令を含む、受信モジュールと、上記受信モジュールによって受信される上記検出命令に従い、上記カメラのデバイス情報を伝送する検出応答メッセージを上記ＩＭＳに送信するよう構成された送信モジュールであって、その結果、上記ＩＭＳは上記検出応答メッセージを上記ＵＥにフィードバックし、上記検出応答メッセージは、上記ＵＥが上記デバイス情報に従い、対応するパラメータ情報および複数のファンクションキーを表示できるようにするために使用される、送信モジュールと、を備える、カメラを提供する。
【００２８】
第４の態様に係る第１の可能な実施方式において、上記受信モジュールは、上記ＵＥによって送信され、上記ＩＭＳによって転送される制御命令を受信するようさらに構成され、処理モジュールが、上記受信モジュールによって受信される上記制御命令によって示される、上記ファンクションキーの操作に従い、対応する操作を実行するよう構成される。
【００２９】
第４の態様または第４の態様に係る第１の可能な実施方式によると、第２の可能な実施方式において、アイテムリストが上記ＵＥにおいてプリセットされる場合、上記アイテムリストは上記検出命令に含まれ、上記送信モジュールは、上記アイテムリストに従い、上記カメラの上記デバイス情報を伝送する上記検出応答メッセージを上記ＩＭＳに送信するよう特に構成される。
【００３０】
第４の態様または第４の態様に係る第１および第２の可能な実施方式のいずれかによると、第３の可能な実施方式において、上記送信モジュールは、上記デバイス情報が上記カメラの複数の機能の拡張によって増えた場合、上記ＩＭＳを使用することによって更新命令を上記ＵＥに転送するようさらに構成され、その結果、上記ＵＥは、上記更新命令に従い、上記プリセットされたアイテムリストを更新する。
【００３１】
第４の態様、または第４の態様に係る第１から第３の可能な実施方式によると、第４の可能な実施方式において、上記デバイス情報は、上記カメラのユーザ情報、使用情報、および機能情報を含み、上記受信モジュールは、上記ＵＥによって送信され、上記ＩＭＳによって転送されるｏｎ／ｏｆｆ選択命令を受信するようさらに構成され、上記処理モジュールは、上記受信モジュールによって受信される上記ｏｎ／ｏｆｆ選択命令に従い、対応する機能を有効または無効にするようさらに構成される。
【００３２】
本発明の複数の実施形態におけるカメラ制御方法、ユーザ機器、およびカメラを使用すると、ＩＭＳを使用することによって、検出要求メッセージがＵＥとの接続を確立させたカメラに送信され、その結果、カメラに対し、カメラのデバイス情報を伝送する検出応答メッセージをＵＥに返すよう命令する。このようにして、カメラのデバイス情報に対応するパラメータ情報および複数のファンクションキーがＵＥに表示され、ＵＥはＩＭＳを使用することによってフロントエンドカメラのビデオコンテンツをモニタリングできるのみで、フロントエンドカメラをインテリジェントに認識できないという先行技術における問題が解決され、カメラのデバイス情報はインテリジェントに表示される。
【図面の簡単な説明】
【００３３】
本発明の複数の実施形態または先行技術における技術的な解決手段をより明瞭に記載すべく、以下に当該実施形態または先行技術を記載するのに必要な添付図面を紹介する。以下の詳細な説明における添付図面は、本発明のいくつかの実施形態を示し、当業者はこれら添付図面から、創造的な取り組みをせずとも、他の図面をさらに導き出すことができることは明らかである。
【００３４】
【図１】本発明の実施形態１による、カメラ制御方法のフローチャートである。
【００３５】
【図２】本発明の一実施形態による、別のカメラ制御方法のフローチャートである。
【００３６】
【図３】図２に示される方法において提供されるＵＥのディスプレイインタフェースの概略図である。
【００３７】
【図４】本発明の実施形態２による、カメラ制御方法のフローチャートである。
【００３８】
【図５】本発明の一実施形態による、さらに別のカメラ制御方法のフローチャートである。
【００３９】
【図６】本発明の実施形態３による、カメラ制御方法のフローチャートである。
【００４０】
【図７】本発明の実施形態４による、カメラ制御方法のフローチャートである。
【００４１】
【図８】本発明の実施形態５による、カメラ制御方法のシグナリングフローチャートである。
【００４２】
【図９】本発明の実施形態６による、ＵＥの概略構造図である。
【００４３】
【図１０】本発明の一実施形態による、別のＵＥの概略構造図である。
【００４４】
【図１１】本発明の実施形態７による、カメラの概略構造図である。
【００４５】
【図１２】本発明の実施形態８による、ＵＥの概略構造図である。
【００４６】
【図１３】本発明の実施形態９による、カメラの概略構造図である。
【発明を実施するための形態】
【００４７】
本発明の複数の実施形態に係る目的、技術的な解決手段、および利点をより明確にするために、以下では、本発明の複数の実施形態における技術的な解決手段を、本発明の複数の実施形態における添付図面を参照しつつ、明確かつ完全に記載する。記載された実施形態は本発明の複数の実施形態のうち一部であり、すべてではないことは明らかである。当業者が創造的努力なしに本発明の複数の実施形態に基づき、得られるすべての他の実施形態は、本発明の保護範囲に属することとなる。
［実施形態１］
【００４８】
図１は、本発明の実施形態１による、カメラ制御方法のフローチャートである。本実施形態により提供される方法は、ＵＥが接続されたカメラのビデオモニタリングを、ＩＭＳを使用することにより実行する場合に適用可能である。当該方法はＵＥによって実行されてよく、ＵＥは概して、ハードウェアおよびソフトウェアの方法を使用することによって実装される。図１に示される通り、本実施形態における方法は、以下を含んでよい。
【００４９】
Ｓ１１０。検出要求メッセージをＩＭＳに送信する。ここで、検出要求メッセージは検出命令を含み、ＩＭＳが検出要求メッセージをカメラに転送後、検出命令は、カメラに対し、検出命令に従い、デバイス情報を伝送する検出応答メッセージをＩＭＳに送信するよう命令するために使用され、その結果、ＩＭＳは検出応答メッセージをユーザ機器ＵＥに返す。
【００５０】
概して、ＩＭＳ内の主なエンティティは、呼び出しセッション制御機能（Ｃａｌｌ  Ｓｅｓｓｉｏｎ  Ｃｏｎｔｒｏｌ  Ｆｕｎｃｔｉｏｎ、略してＣＳＣＦ）およびホーム加入者サーバ（Ｈｏｍｅ  Ｓｕｂｓｃｒｉｂｅｒ  Ｓｅｒｖｅｒ、略してＨＳＳ）を含む。ユーザがＩＭＳにアクセスするとき、ＨＳＳは、当該ユーザにサービス提供するサービス提供呼び出しセッション制御機能（Ｓｅｒｖｉｎｇ  ＣＳＣＦ、略してＳ−ＣＳＣＦ）を判断するため、問い合わせ呼び出しセッション制御機能（Ｉｎｔｅｒｒｏｇａｔｉｎｇ  ＣＳＣＦ、略してＩ‐ＣＳＣＦ）を使用することによってクエリされ、その結果、当該ユーザの呼び出し状況を記録し、呼び出し制御機能を実施する。ＨＳＳはまた、各ＩＭＳユーザのユーザ情報およびサービスデータを記録し、ＣＳＣＦと連携して、ルーティング機能を実施する。すなわち、ＵＥおよびＩＭＳを使用することによって接続されたフロントエンドカメラがＩＰチャネルを介してデータ送信を実行してよい。本実施形態において、ＵＥは、フロントエンドカメラとのＩＭＳ接続を確立しており、従って、ＩＭＳを使用することによって、フロントエンドカメラとのビデオ通信を実行してよい。フロントエンドカメラのビデオコンテンツのみが、ＵＥ上にリアルタイムに表示可能な先行技術と異なり、本実施形態により提供される方法は、ＵＥが検出要求メッセージをＩＭＳに送信することを可能にし、この場合において、検出要求メッセージは、ＩＭＳ内で使用されるセッション開始プロトコル（Ｓｅｓｓｉｏｎ  Ｉｎｉｔｉａｔｉｏｎ  Ｐｒｏｔｏｃｏｌ、略してＳＩＰ）であり、ＩＭＳが検出要求メッセージをフロントエンドカメラに転送後、検出要求メッセージに含まれる検出命令は、フロントエンドカメラが、検出命令に従い、ＩＭＳを使用することによって、デバイス情報を伝送する検出応答メッセージをＵＥに対し返すことができるようにするために使用される。具体的には、デバイス情報は例えば、フロントエンドカメラの名前、温度情報、パン‐チルト‐ズーム（Ｐａｎ−Ｔｉｌｔ−Ｚｏｏｍ、略してＰＴＺ）機能、自動モーション検出機能、赤外線ビデオ機能、煙検出機能等であってよい。
【００５１】
ＵＥによってＩＭＳに送信される検出要求メッセージおよびフロントエンドカメラによってＩＭＳに返される検出応答メッセージは概して、ＳＩＰプロトコルにおけるＩＮＦＯ、ＯＰＴＩＯＮＳ、ＭＥＳＳＡＧＥ、およびＮＯＴＩＦＹメッセージであることに留意されたい。これらのメッセージは、ＳＩＰプロトコル内の標準タイプのメッセージである。例えば、本実施形態において、ＵＥによってＩＭＳに送信される検出要求メッセージは、ＯＰＴＩＯＮＳメッセージであってよく、検出命令は具体的には、カメラのデバイス情報を示すことを要求するため、ＯＰＴＩＯＮＳメッセージ内の拡張マークアップ言語（Ｅｘｔｅｎｓｉｂｌｅ  Ｍａｒｋｕｐ  Ｌａｎｇｕａｇｅ、略してｘｍｌ）情報に含まれてよい。例えば、送信されるＯＰＴＩＯＮＳメッセージ内のｘｍｌ情報は、次の通りであってよい。
<?xml version="1.0"?>
<IPCameraRequest></IPCameraRequest>
【００５２】
Ｓ１２０。ＩＭＳによって返される検出応答メッセージを受信する。
【００５３】
フロントエンドカメラがフロントエンドカメラのデバイス情報を伝送する検出応答メッセージをＩＭＳに送信した後、ＩＭＳはさらに、検出応答メッセージをＵＥに返し、ＵＥはＩＭＳによって転送される検出応答メッセージを受信する。
【００５４】
Ｓ１３０。検出応答メッセージ内に含まれるカメラのデバイス情報に従い、対応するパラメータ情報および複数のファンクションキーを表示し、その結果、ユーザは複数のファンクションキーに従い、カメラを制御する。
【００５５】
本実施形態において、ＩＭＳによって転送される検出応答メッセージを受信後、ＵＥは検出応答メッセージ内に伝送されるデバイス情報に従い、フロントエンドカメラのパラメータ情報および複数のファンクションキーをＵＥ上に表示してよい。パラメータ情報は、フロントエンドカメラの名前および温度情報であってよい。複数のファンクションキーは、カメラの機能に従い生成される複数の対応するキーであってよく、概してＰＴＺ機能、自動モーション検出機能、赤外線ビデオ機能、または煙検出機能に係る複数のキーであってよく、よってユーザはフロントエンドカメラのパラメータ情報を獲得し、フロントエンドカメラの特定の機能を理解してよい。
【００５６】
本実施形態によって提供されるカメラ制御方法を使用することによって、検出要求メッセージは、ＩＭＳを使用することによって、ＵＥとの接続を確立させたカメラに送信され、カメラに対し、カメラのデバイス情報を伝送する検出応答メッセージをＵＥに返すよう命令する。このように、カメラのデバイス情報に対応するパラメータ情報および複数のファンクションキーがＵＥ上に表示され、ＵＥはＩＭＳを使用することによってフロントエンドカメラのビデオコンテンツをモニタリングできるのみで、フロントエンドカメラをインテリジェントに認識できないという先行技術における問題が解決される。カメラのデバイス情報はインテリジェントに表示される。
【００５７】
さらに、図２は、本発明の実施形態による、別のカメラ制御方法のフローチャートである。図１に基づいて、本実施形態によって提供されるカメラ制御方法は以下をさらに含む。
【００５８】
Ｓ１４０。ユーザがファンクションキーを操作するときに生成される制御命令を受信する。
【００５９】
本実施形態において、ＵＥがカメラのデバイス情報に従い、対応するパラメータ情報および複数のファンクションキーを表示後、ユーザは要求に従い、ファンクションキーを操作する。ここで、当該複数のファンクションキーはユーザに対し、フロントエンドカメラを操作するよう命令するために使用されるものである。ＵＥのディスプレイスクリーンに生成された複数のファンクションキーは概してタッチ操作である。例えば、ＰＴＺ機能の操作は、具体的には、フルスフィアのパンとチルト、すなわち上下左右の動き、およびレンズズーム、すなわち、ズームインとズームアウト、およびズーム制御を含む。図２に示される方法において提供されるＵＥのディスプレイインタフェースの概略図である図３に示される通り、ＰＴＺ機能を操作することの判断後は、例えば、上方向、下方向、左方向、または右方向を制御するためのボタンおよびズームインまたはズームアウト視線範囲を制御するためのボタンといった、対応する複数のある決まったボタンがディスプレイスクリーン上に生成されてよい。特定の実施においては、複数のファンクションキーを操作するためのボタンが生成されず、ＰＴＺの制御操作は、ＵＥにおいてプリセットされたタッチ信号を使用することによって実施されてもよい。例えば、ディスプレイスクリーンでのユーザのスライドジェスチャによって、フロントエンドカメラを上方向、下方向、左方向、または右方向に移動させるよう制御する。特定の実施においては、ＵＥによって送信される制御命令は、ＳＩＰプロトコル内のＩＮＦＯメッセージを使用することによって送信されてよい。具体的には、当該命令はＩＮＦＯメッセージのｘｍｌ情報内にパックされる。以下は、制御命令がパックされるｘｍｌ情報の具体的な内容である。
Content-Type: application/IPCamera+xml
<?xmlversion="1.0"?>
<IpCamera>
<Pan>Right</Pan>
<Tilt>Up</Tilt>
<Zoom>In</Zoom>
<Motiondetection>On</Motiondetection>
</IpCamera>
【００６０】
上述のｘｍｌ情報において、Pan=Rightは右方向の動きを表わし、Pan=Leftは左方向の動きを表わす。Tilt=Upは上方向の動きを表わし、Tilt=Downは下方向の動きを表わす。Zoom=Inは一回のズームインを表わし、Zoom=Outは一回のズームアウトを表わす。MotiondetectionがOnに設定されている場合、モーション検出機能が有効になっており、MotiondetectionがOffに設定されている場合、モーション検出機能が無効になっている。
【００６１】
Ｓ１５０。制御命令をＩＭＳに送信する。その結果、カメラがＩＭＳによって転送された制御命令を受信後、カメラは対応する操作を実行する。
【００６２】
本実施形態において、対応する制御命令は、ファンクションキーのユーザの操作に従い生成される。ＵＥはＩＭＳを使用することによって、制御命令をカメラに送信し、その結果、カメラは当該命令に従い、対応する操作を実行し、それによりネットワーク経由で接続されるカメラをリモートコントロールするＵＥの機能を実施する。特定の実施において、ＵＥ側におけるユーザのカメラの制御操作は具体的には、カメラのデバイス情報に従い生成されたファンクションキーの操作である。従って、ユーザがＵＥ上で選択可能な複数の操作は、カメラの複数の機能に適合可能であり、柔軟なリモートコントロール機能が実施され、カメラに対し実行されるリモートコントロール操作は、よりインテリジェントなものになる。
【００６３】
次のことに留意されたい。すなわち、本実施形態においてＵＥによって送信される制御命令はまた、要求メッセージの形態で送信され、これに対応して、カメラは要求メッセージに従い、対応する応答メッセージを返してよい。本実施形態におけるｘｍｌ情報は、情報セットであり、すなわち、送信される要求メッセージ内に含まれる命令は、１つの命令のみであってよく、または複数の命令であってよく、複数の命令に関して順序の要件はない。
［実施形態２］
【００６４】
図４は、本発明の実施形態２による、カメラ制御方法のフローチャートである。図４に示される通り、本実施形態の方法は次のものを含んでよい。
【００６５】
Ｓ２１０。検出命令を含む検出要求メッセージをＩＭＳに送信し、検出命令はＵＥにおいてプリセットされたアイテムリストを含み、ＩＭＳが検出要求メッセージをカメラに転送後、検出命令は、カメラに対し、アイテムリストに従い、デバイス情報を伝送する検出応答メッセージをＩＭＳに送信するよう命令するために使用され、その結果、ＩＭＳは検出応答メッセージをユーザ機器ＵＥに返す。
【００６６】
本実施形態において、フロントエンドカメラのデバイス情報のためのアイテムリストは、ＵＥにおいてプリセットされてよい。従って、ＵＥによって送信される検出命令は、カメラに対し、アイテムリストに従い、デバイス情報を伝送する検出応答メッセージをＩＭＳに送信するよう命令するためのアイテムリストを含む。具体的には、フロントエンドカメラは、カメラのデバイス情報内の複数のアイテムを、アイテムリストにマッピングし、アイテムリスト内の複数の対応するアイテムをカメラのパラメータ情報および機能情報で埋め、埋められた情報を対応する検出応答メッセージ内にパックし、検出応答メッセージをＵＥに返す。例えば、埋められた情報は、２００  ＯＫメッセージ内にパックされ、ＵＥに返されてよい。
【００６７】
Ｓ２２０。ＩＭＳによって返される検出応答メッセージを受信する。
【００６８】
具体的には、段階Ｓ２２０の特定の実施については、実施形態１の段階Ｓ１２０が参照されてよい。
【００６９】
Ｓ２３０。カメラのデバイス情報に従い、ＵＥにおいてプリセットされたアイテムリストを更新し、その結果、カメラのデバイス情報について、ＵＥは対応するパラメータ情報を表示し、対応する複数のファンクションキーを生成する。
【００７０】
本実施形態において、カメラのデバイス情報がアイテムリストに存在しないアイテムを含む場合、ＵＥにおいてプリセットされたアイテムリストは更新される必要があり、その結果、更新されたアイテムリストが、カメラのデバイス情報内のすべてのアイテムを含むようになる。概して、ＵＥにおいてプリセットされたアイテムリストは、デバイス情報の全セットを含む。しかしながら、カメラのデバイス情報がＵＥ内のアイテムセットに存在しない場合、ＵＥは最初に、ＵＥにおいてプリセットされたアイテムリストを更新してよく、その結果、デバイス情報に従い、完全な表示が実施される。
【００７１】
Ｓ２４０。カメラのデバイス情報をＵＥにおいてプリセットされたアイテムリストにマッピングし、デバイス情報に対応するパラメータ情報および複数のファンクションキーを表示する。
【００７２】
本実施形態において、ＵＥはプリセットされたアイテムリストを有する。従って、ＵＥが返された検出応答メッセージを受信後、ＵＥは具体的に、メッセージ内に伝送されたデバイス情報を、ＵＥにおいてプリセットされたアイテムリストに表示のためにマッピングする。
【００７３】
Ｓ２５０。ユーザがファンクションキーを操作するとき生成される制御命令を受信する。
【００７４】
Ｓ２６０。制御命令をＩＭＳに送信し、その結果、カメラがＩＭＳによって転送された制御命令を受信後、カメラは対応する操作を実行する。
【００７５】
具体的には、段階Ｓ２５０およびＳ２６０の特定の実施については、実施形態１の段階Ｓ１４０およびＳ１５０が参照されてよい。
【００７６】
本実施形態により提供されるカメラ制御方法を使用することによって、検出要求メッセージがＩＭＳを使用することによって、ＵＥとの接続を確立させたカメラに送信され、カメラに対し、カメラのデバイス情報を伝送する検出応答メッセージをＵＥに返すよう命令する。このように、カメラのデバイス情報に対応するパラメータ情報および複数のファンクションキーがＵＥ上に表示され、ＵＥはＩＭＳを使用することによってフロントエンドカメラのビデオコンテンツをモニタリングできるのみで、フロントエンドカメラをインテリジェントに認識できないという先行技術における問題が解決される。カメラのデバイス情報はインテリジェントに表示される。カメラに対し実行される複数の制御操作は、よりインテリジェントなものになる。また、アイテムリストがＵＥにおいてプリセットされ、その結果、カメラによって返される検出応答メッセージ内に伝送されるデバイス情報は、リストに対応し、ＵＥはアイテムリストの内容に従い、複数のファンクションキーおよびパラメータ情報を表示する。これにより、ＵＥ側でのインテリジェントな表示に関する特定の態様が提供される。
【００７７】
オプションで、本実施形態によって提供されるカメラ制御方法において、デバイス情報がカメラの複数の機能の拡張によって増えた場合、ＵＥにおいてプリセットされたアイテムリストを同期的に更新すべく、更新命令がＩＭＳを使用することによってＵＥに転送されてよく、その結果、リスト内のアイテムセットは、カメラのデバイス情報内のアイテムより多くまたはそれに等しくなる。本実施形態における、ＵＥによって実行されるアイテムリストに対する更新はまた、ユーザによって送信される更新命令に従う、ＵＥにおいてプリセットされたアイテムリストの更新であってよいことに留意されたい。
【００７８】
さらに、図５は本発明の実施形態による、さらなる別のカメラ制御方法のフローチャートである。図４に基づくと、本実施形態によって提供されるカメラ制御方法において、カメラのデバイス情報は、カメラのユーザ情報、使用情報、および機能を含んでよい。これに対応して、段階Ｓ２４０は具体的には次を含む。
【００７９】
Ｓ２４１。カメラのユーザ情報および使用情報を検出応答メッセージから取得し、カメラのパラメータ情報をＵＥ上に表示する。
【００８０】
Ｓ２４２。カメラのサポートされる機能情報を検出応答メッセージから取得し、機能情報に対応する複数のファンクションキーをＵＥ上に生成する。
【００８１】
本実施形態において、カメラのユーザ情報は概して、ネットワークにアクセスするためのデバイス名またはアカウント名である。使用情報は、温度、ストレージボリューム、等のカメラの通常の使用のためのものであってよい。機能情報は、カメラの複数の機能であってよく、例えば、上述の実施形態におけるＰＴＺ機能、自動モーション検出機能、赤外線ビデオ機能、または煙検出機能である。
【００８２】
またさらに、本実施形態によって提供される方法は、さらに次を含む。Ｓ２７０。ユーザのファンクションキーのｏｎ／ｏｆｆ選択に従い、ｏｎ／ｏｆｆ制御命令をＩＭＳに送信し、その結果、カメラがＩＭＳによって転送されるｏｎ／ｏｆｆ制御命令を受信後、カメラは対応する機能を有効または無効にする。本実施形態において、段階Ｓ２７０とＳ２５０との間に特定の順序はないことに留意されたい。
【００８３】
特定の実施において、カメラの機能情報は、ＰＴＺ、自動モーション検出等を含んでよく、ＵＥ上で生成される複数のファンクションキーは、ＰＴＺおよび自動モーション検出を実施するための複数のキーを含む。本実施形態において、機能情報に従い生成された複数の対応するキーは、フロントエンドカメラの複数の操作を制御するだけでなく、ＵＥ側で、複数の対応するデバイス機能のｏｎ／ｏｆｆ制御も実施してよく、その結果、ユーザは、カメラの電力消費を低減すべく、カメラで使用される必要のない複数の機能を無効にすることを選択する。
［実施形態３］
【００８４】
図６は、本発明の実施形態３による、カメラ制御方法のフローチャートである。本実施形態によって提供される方法は、ＵＥがＩＭＳを使用することにより、接続されたカメラに対しビデオモニタリングを実行する場合に適用可能である。当該方法はカメラによって実行されてよく、カメラは概して、ハードウェアおよびソフトウェアの方法を使用することによって実施される。図１に示される通り、本実施形態における方法は、以下を含んでよい。
【００８５】
Ｓ３１０。ＵＥによって送信され、ＩＭＳによって転送される検出要求メッセージを受信し、検出要求メッセージは、検出命令を含む。
【００８６】
本実施形態において、カメラと、ＩＭＳ接続が確立されたＵＥとの間のデータ送信は概して、ＩＭＳを介するＳＩＰメッセージを送信することによって実施される。従って、ＵＥによってカメラに送信される検出要求メッセージは最初にＩＭＳに送信され、その後、ＩＭＳによってカメラに転送される。また、検出要求メッセージは、カメラに対するＵＥの検出命令を含む。
【００８７】
Ｓ３２０。検出命令に従い、カメラのデバイス情報を伝送する検出応答メッセージをＩＭＳに送信し、その結果、ＩＭＳは検出応答メッセージをＵＥにフィードバックし、検出応答メッセージは、ＵＥがデバイス情報に従い、対応するパラメータ情報および複数のファンクションキーを表示できるようにするために使用される。
【００８８】
カメラは、受信される検出命令に従い、対応するアクションを取り、カメラのデバイス情報をパック後、ＩＭＳを使用することによって、当該要求に対応する検出応答メッセージをＵＥに送信し、この場合、検出応答メッセージは、パックされたデバイス情報を伝送し、その結果、ＵＥはデバイス情報に従い、カメラのパラメータ情報および複数のファンクションキーを表示してよい。パラメータ情報は、カメラの名前および温度情報であってよい。複数のファンクションキーは、カメラの機能情報に従い生成される複数の対応するキーであってよく、概して、ＰＴＺ機能、自動モーション検出機能、赤外線ビデオ機能、または煙検出機能の複数のキーであってよい。さらに、ユーザはフロントエンドカメラのパラメータ情報を獲得してよく、フロントエンドカメラの特定の複数の機能を理解してよい。
【００８９】
ＵＥによって送信され、ＩＭＳによってカメラに転送される検出要求メッセージおよびカメラによって、ＩＭＳを使用することによりＵＥに返される検出応答メッセージは概して、ＳＩＰプロトコル内のＩＮＦＯ、ＯＰＴＩＯＮＳ、ＭＥＳＳＡＧＥ、およびＮＯＴＩＦＹメッセージであることに留意されたい。これらのメッセージは、ＳＩＰプロトコル内の標準タイプのメッセージである。例えば、本実施形態において、カメラによってＩＭＳに送信される検出応答メッセージは、複数の標準的なメッセージにおける特定の２００  ＯＫメッセージであってよく、デバイス情報は当該２００  ＯＫメッセージ内のｘｍｌ情報に含まれてよく、その結果、検出応答メッセージを受信後、ＵＥはカメラのパラメータ性能および複数の機能を明確に認識できる。例えば、送信される２００  ＯＫメッセージ内のｘｍｌ情報は、次の通りであってよい。
Content-Type: application/IPCamera+xml
<?xml version="1.0"?>
<IPCameraRespone>
<Name>Bedroom</Name>
<Pan>Support</Pan>
<Tilt>Support</Tilt>
<Zoom>Support</Zoom>
<Motiondetection>Support</Motiondetection>
<IRNV>Support<IRNV>
<Smoketesting>Support</Smoketesting>
<Temperature>25<Temperature>
</IPCameraRespone>
【００９０】
上述のｘｍｌ情報において、カメラのデバイス情報の表示は、カメラの名前（Ｎａｍｅ）および検出された温度情報（Ｔｅｍｐｅｒａｔｕｒｅ）を含み、カメラがＰＴＺ（Ｐａｎ−Ｔｉｌｔ−Ｚｏｏｍ）機能、自動モーション検出（Ｍｏｔｉｏｎｄｅｔｅｃｔｉｏｎ）機能、赤外線ビデオ（ＩＲＮＶ）機能、または煙検出（Ｓｍｏｋｅｔｅｓｔｉｎｇ）機能をサポートすることが獲得されてよい。
【００９１】
本実施形態によって提供されるカメラ制御方法を使用することによって、ＵＥと、接続が確立されたカメラとの間で、カメラはＩＭＳによって転送される検出要求メッセージを受信し、カメラのデバイス情報を伝送する検出応答メッセージをＵＥに返し、その結果、カメラのデバイス情報に対応するパラメータ情報および複数のファンクションキーが、ＵＥ上に表示されてよい。このようにして、ＵＥはＩＭＳを使用することによってフロントエンドカメラのビデオコンテンツをモニタリングできるのみで、フロントエンドカメラをインテリジェントに認識できないという先行技術における問題が解決され、カメラのデバイス情報はインテリジェントに表示される。
【００９２】
さらに、本実施形態によって提供されるカメラ制御方法は以下をさらに含む。
【００９３】
Ｓ３３０。ＵＥによって送信され、ＩＭＳによって転送される制御命令を受信する。
【００９４】
本実施形態において、ユーザがＵＥにおいて生成されたファンクションキーを操作したとき、対応する制御命令がカメラに送信されてよい。同様に、ＩＭＳは、ＵＥによって送信される制御命令を受信し、それをカメラに転送する。
【００９５】
Ｓ３４０。制御命令によって示される、ファンクションキーの操作に従い、対応する操作を実行する。
【００９６】
本実施形態において、カメラがＩＭＳによって転送される制御命令を受信後、対応する操作は命令によって示される通り実行されてよく、その結果、ネットワーク経由で接続されたカメラをリモートコントロールするＵＥの機能を実施する。特定の実施において、ＵＥ側におけるユーザのカメラの制御操作は具体的には、カメラのデバイス情報に従い生成されたファンクションキーの操作である。従って、ユーザがＵＥ上で選択可能な複数の操作は、カメラの複数の機能に適合可能であり、カメラに対し実行される複数の制御操作は、よりインテリジェントなものになる。
【００９７】
本実施形態においてカメラによって受信される制御命令はまた、要求メッセージの形態で送信され、これに対応して、カメラは要求メッセージに従い、対応する応答メッセージを返してよいことに留意されたい。
［実施形態４］
【００９８】
図７は、本発明の実施形態４による、カメラ制御方法のフローチャートである。図７に示される通り、本実施形態における方法は、以下を含んでよい。
【００９９】
Ｓ４１０。ＵＥによって送信され、ＩＭＳによって転送される検出要求メッセージを受信し、検出要求メッセージは、検出命令を含む。
【０１００】
具体的には、段階Ｓ４１０の特定の実施については、実施形態３の段階Ｓ３１０が参照されてよい。
【０１０１】
Ｓ４２０。アイテムリストがＵＥにおいてプリセットされている場合、アイテムリストは検出命令に含まれる。アイテムリストに従い、カメラのデバイス情報を伝送する検出応答メッセージをＩＭＳに送信し、その結果、ＩＭＳは検出応答メッセージをＵＥにフィードバックし、検出応答メッセージは、ＵＥがデバイス情報に従い、対応するパラメータ情報および複数のファンクションキーを表示できるようにするために使用される。
【０１０２】
本実施形態において、フロントエンドカメラのデバイス情報のためのアイテムリストは、ＵＥにおいてプリセットされてよい。従って、カメラによって受信される検出命令はアイテムリストを含み、アイテムリストは、カメラに対し、アイテムリストに従い、デバイス情報を伝送する検出応答メッセージをＩＭＳに送信するよう命令する。具体的には、フロントエンドカメラは、フロントエンドカメラのデバイス情報内の複数のアイテムを、アイテムリストにマッピングし、アイテムリスト内の複数の対応するアイテムをフロントエンドカメラのパラメータ情報および機能情報で埋め、埋められた情報を対応する検出応答メッセージ内にパックし、検出応答メッセージをＵＥに返す。例えば、埋められた情報は、２００  ＯＫメッセージ内にパックされ、ＵＥに返されてよい。カメラによってパックされるカメラのデバイス情報の内容については、実施形態３におけるｘｍｌ情報の具体的な内容が参照されてよい。これに対応して、２００  ＯＫメッセージ内のデバイス情報に関する内容、すなわちｘｍｌ情報の特定の内容に従い、ＵＥは対応するパラメータ情報を表示してよく、対応する複数のファンクションキーを生成してよい。
【０１０３】
カメラのデバイス情報が、アイテムリストに存在しないアイテムを含む場合、検出応答メッセージは、ＵＥがデバイス情報に従い、ＵＥにおいてプリセットされたアイテムリストを更新できるようにするためにさらに使用されることに留意されたい。
【０１０４】
Ｓ４３０。ＵＥによって送信され、ＩＭＳによって転送される制御命令を受信する。
【０１０５】
Ｓ４４０。制御命令によって示される、ファンクションキーの操作に従い、対応する操作を実行する。
【０１０６】
具体的には、段階Ｓ４３０およびＳ４４０の具体的な実施については、実施形態３の段階Ｓ３３０およびＳ３４０が参照されてよい。
【０１０７】
本実施形態によって提供されるカメラ制御方法を使用することによって、ＵＥと、接続が確立されたカメラとの間で、カメラはＩＭＳによって転送される検出要求メッセージを受信し、カメラのデバイス情報を伝送する検出応答メッセージをＵＥに返し、その結果、カメラのデバイス情報に対応するパラメータ情報および複数のファンクションキーは、ＵＥ上に表示されてよい。このように、ＵＥはＩＭＳを使用することによってフロントエンドカメラのビデオコンテンツをモニタリングできるのみで、フロントエンドカメラをインテリジェントに認識できないという先行技術における問題が解決される。カメラのデバイス情報はインテリジェントに表示される。カメラに対し実行される複数の制御操作は、よりインテリジェントなものになる。また、ＵＥにおいてプリセットされたアイテムリストに従い、カメラによってパックされるデバイス情報は、リストに対応し、その結果、アイテムリストの内容に従い、パラメータ情報の複数のファンクションキーが表示されてよい。これにより、ＵＥ側でのインテリジェントな表示に関する特定の態様が提供される。
【０１０８】
オプションで、本実施形態によって提供されるカメラ制御方法において、デバイス情報がカメラの複数の機能の拡張によって増えた場合、ＩＭＳを使用することによって更新命令がＵＥに転送され、その結果、ＵＥは更新命令に従い、プリセットされたアイテムリストを更新する。
【０１０９】
さらに、本実施形態において、カメラのデバイス情報は、カメラのユーザ情報、使用情報、および機能情報を含んでよく、本実施形態によって提供される方法はさらに以下を含む。
【０１１０】
Ｓ４５０。ＵＥによって送信され、ＩＭＳによって転送されるｏｎ／ｏｆｆ選択命令を受信する。
【０１１１】
Ｓ４６０。ｏｎ／ｏｆｆ選択命令に従い、対応する機能を有効または無効にする。
【０１１２】
本実施形態において、ＵＥによって送信されるｏｎ／ｏｆｆ選択命令は、ＩＭＳによって転送され、具体的には、フロントエンドカメラの機能を有効または無効にすることを選択するために使用される。本実施形態において、機能情報に従い生成される複数の対応するキーは、フロントエンドカメラの操作を制御するのみでなく、ユーザがファンクションキーをオフにする操作を開始すると、カメラが電力消費を低減すべく、対応する機能を無効にできるようにしてよい。
【０１１３】
本実施形態において、段階Ｓ４５０とＳ４３０との間に特定の順序はないことに留意されたい。
［実施形態５］
【０１１４】
図８は、本発明の実施形態５による、カメラ制御方法のシグナリングフローチャートである。図８に示される通り、本実施形態における方法は、以下を含んでよい。
【０１１５】
Ｓ５０１。ＵＥは、検出要求メッセージをＩＭＳに送信し、検出要求メッセージは検出命令を含む。
【０１１６】
Ｓ５０２。ＩＭＳはＵＥによって送信される検出要求メッセージを受信し、検出要求メッセージをカメラに転送する。
【０１１７】
Ｓ５０３。カメラは、検出命令に従い、カメラのデバイス情報を検出応答メッセージに追加する。
【０１１８】
Ｓ５０４。カメラは、検出応答メッセージをＩＭＳに返す。
【０１１９】
Ｓ５０５。ＩＭＳはカメラによって返される検出応答メッセージを受信し、検出応答メッセージをＵＥに転送する。
【０１２０】
Ｓ５０６。ＵＥは、検出応答メッセージ内に含まれるカメラのデバイス情報に従い、対応するパラメータ情報および複数のファンクションキーを表示する。
【０１２１】
本実施形態によって提供されるカメラ制御方法を使用することによって、検出要求メッセージは、ＩＭＳを使用することによって、ＵＥとの接続を確立させたカメラに送信され、カメラに対し、カメラのデバイス情報を伝送する検出応答メッセージをＵＥに返すよう命令する。このように、カメラのデバイス情報に対応するパラメータ情報および複数のファンクションキーがＵＥ上に表示され、ＵＥはＩＭＳを使用することによってフロントエンドカメラのビデオコンテンツをモニタリングできるのみで、フロントエンドカメラをインテリジェントに認識できないという先行技術における問題が解決される。カメラのデバイス情報はインテリジェントに表示される。
【０１２２】
さらに、本実施形態によって提供されるカメラ制御方法は以下をさらに含む。
【０１２３】
Ｓ５０７。ＵＥは、ユーザがファンクションキーを操作するときに生成される制御命令を受信する。
【０１２４】
Ｓ５０８。生成される制御命令をＩＭＳに送信する。
【０１２５】
Ｓ５０９。ＩＭＳは、ＵＥによって送信される制御命令を受信し、制御命令をカメラに転送する。
【０１２６】
Ｓ５１０。カメラは、ＩＭＳによって転送される制御命令を受信し、制御命令に従い、対応する操作を実行する。
【０１２７】
本実施形態において、対応する制御命令は、ファンクションキーのユーザの操作に従い生成される。ＵＥはＩＭＳを使用することによって、制御命令をカメラに送信し、その結果、カメラは当該命令に示される通り、対応する操作を実行し、ネットワーク経由で接続されるカメラをリモートコントロールするＵＥの機能を実施する。特定の実施において、ＵＥ側におけるユーザのカメラの制御操作は具体的には、カメラのデバイス情報に従い生成されたファンクションキーの操作である。従って、ユーザがＵＥ上で選択可能な複数の操作は、カメラの複数の機能に適合可能であり、カメラに対し実行される複数の制御操作は、よりインテリジェントなものになる。
【０１２８】
特定の実施において、アイテムリストは概して、ＵＥにおいてプリセットされ、検出命令はアイテムリストを含む。これに対応して、段階Ｓ５０３は具体的に次のようになる。すなわち、カメラは、アイテムリストに従い、デバイス情報を伝送する検出応答メッセージをＩＭＳに送信する。段階Ｓ５０６は具体的に次のようになる。すなわち、ＵＥはカメラのデバイス情報をＵＥにおいてプリセットされたアイテムリストにマッピングし、デバイス情報に対応するパラメータ情報および複数のファンクションキーを表示する。
【０１２９】
本実施形態において、カメラのデバイス情報がアイテムリストに存在しないアイテムを含む場合、段階Ｓ５０６の前に、方法はさらに次を含む。Ｓ５１１。ＵＥは、カメラのデバイス情報に従い、ＵＥにおいてプリセットされたアイテムリストを更新し、その結果、カメラのデバイス情報について、ＵＥは対応するパラメータ情報を表示し、対応する複数のファンクションキーを生成する。
【０１３０】
オプションで、本実施形態によって提供されるカメラ制御方法において、デバイス情報がカメラの複数の機能の拡張によって増えた場合、ＵＥにおいてプリセットされたアイテムリストを同期的に更新すべく、更新命令がＩＭＳを使用することによってＵＥに転送されてよく、その結果、リスト内のアイテムセットは、カメラのデバイス情報内のアイテムより多いまたはそれに等しくなる。本実施形態における、ＵＥによって実行されるアイテムリストに対する更新はまた、ユーザによって送信される更新命令に従う、ＵＥにおいてプリセットされたアイテムリストの更新であってよいことに留意されたい。
【０１３１】
またさらに、本実施形態において、カメラのデバイス情報は、カメラのユーザ情報、使用情報、および機能情報を含んでよい。これに対応して、段階Ｓ５０６は具体的に次のようになる。すなわち、カメラのユーザ情報および使用情報を検出応答メッセージから取得し、カメラのパラメータ情報をＵＥ上に表示し、カメラのサポートされる機能情報を検出応答メッセージから取得し、機能情報に対応する複数のファンクションキーをＵＥ上に生成する。
【０１３２】
本実施形態の別の実施方法において、方法はさらに次を含んでよい。Ｓ５１２。ＵＥは、ユーザのファンクションキーのｏｎ／ｏｆｆ選択に従い、対応するｏｎ／ｏｆｆ制御命令を生成する。
【０１３３】
Ｓ５１３。ｏｎ／ｏｆｆ制御命令をＩＭＳに送信する。
【０１３４】
Ｓ５１４。ＩＭＳは、ＵＥによって送信されるｏｎ／ｏｆｆ制御命令を受信し、ｏｎ／ｏｆｆ制御命令をカメラに転送する。
【０１３５】
Ｓ５１５。カメラは、オン／オフ選択命令に従い、対応する機能を有効または無効にする。
【０１３６】
本実施形態において、機能情報に従いＵＥによって生成される複数の対応するキーは、フロントエンドカメラの複数の操作を制御するだけでなく、ＵＥ側で、複数の対応するデバイス機能のｏｎ／ｏｆｆ制御も実施してよく、その結果、ユーザは、カメラの電力消費を低減すべく、カメラで使用される必要のない複数の機能を無効にすることを選択する。本実施形態において、段階Ｓ５０７とＳ５１２との間に特定の順序はないことに留意されたい。
［実施形態６］
【０１３７】
図９は、本発明の実施形態６による、ＵＥの概略構造図である。図９に示される通り、本実施形態によって提供されるＵＥは具体的には、送信モジュール１１、受信モジュール１２、および処理モジュール１３を含む。
【０１３８】
送信モジュール１１は、検出要求メッセージをＩＭＳに送信するよう構成されており、検出要求メッセージは検出命令を含み、ＩＭＳが検出要求メッセージをカメラに転送後、検出命令は、カメラに対し、検出命令に従い、デバイス情報を伝送する検出応答メッセージをＩＭＳに送信するよう命令するために使用され、その結果、ＩＭＳは検出応答メッセージをユーザ機器ＵＥに返す。
【０１３９】
受信モジュール１２は、ＩＭＳによって返される検出応答メッセージを受信するよう構成される。
【０１４０】
処理モジュール１３は、受信モジュール１２によって受信される検出応答メッセージ内に含まれるカメラのデバイス情報に従い、対応するパラメータ情報および複数のファンクションキーを表示するよう構成されており、その結果、ユーザは複数のファンクションキーに従い、カメラを制御する。
【０１４１】
本発明の実施形態によって提供されるＵＥは、本発明の実施形態１によって提供されるカメラ制御方法を実行するために使用され、複数の対応する機能モジュールを有する。それらの実施原理および技術的効果は同様であり、ここに再度記載しない。
【０１４２】
さらに、本実施形態によって提供されるＵＥにおいて、受信モジュール１２は、ユーザがファンクションキーを操作するときに生成される制御命令を受信するようさらに構成され、これに対応して、送信モジュール１１は、制御命令をＩＭＳに送信するようさらに構成され、その結果、カメラがＩＭＳによって転送される制御命令を受信後、カメラは対応する操作を実行する。
【０１４３】
本実施形態において送信モジュールによって送信される制御命令はまた、要求メッセージの形態で送信され、これに対応して、カメラは要求メッセージに従い、対応する応答メッセージを返してよいことに留意されたい。
【０１４４】
オプションで、本実施形態において、アイテムリストがＵＥにおいてプリセットされる場合、アイテムリストは検出命令に含まれ、その結果、カメラに対し、アイテムリストに従い、デバイス情報を伝送する検出応答メッセージをＩＭＳに送信するよう命令し、これに対応して、処理モジュール１３は、カメラのデバイス情報をＵＥにおいてプリセットされたアイテムリストにマッピングし、デバイス情報に対応するパラメータ情報および複数のファンクションキーを表示するよう特に構成される。
【０１４５】
図１０は、本発明の実施形態による、別のＵＥの概略構造図である。図９に基づいて、本実施形態によって提供されるＵＥは更新モジュール１４をさらに含み、それは次のように構成される。すなわち、カメラのデバイス情報がアイテムリストに存在しないアイテムを含む場合、処理モジュール１３が受信モジュール１２によって受信される検出応答メッセージ内に含まれるカメラのデバイス情報に従い、対応するパラメータ情報および複数のファンクションキーを表示する前に、カメラのデバイス情報に従い、ＵＥにおいてプリセットされたアイテムリストを更新するよう構成されており、その結果、カメラのデバイス情報について、ＵＥは、対応するパラメータ情報を表示し、対応する複数のファンクションキーを生成する。
【０１４６】
オプションで、本実施形態において、更新モジュール１４は、ユーザによって送信される更新命令に従い、ＵＥにおいてプリセットされたアイテムリストを更新する、またはデバイス情報がカメラの複数の機能の拡張によって増えた場合、ＩＭＳによってＵＥに転送される更新命令を使用することによって、ＵＥにおいてプリセットされたアイテムリストを更新するようさらに構成される。
【０１４７】
本発明の実施形態によって提供されるＵＥは、本発明の実施形態２によって提供されるカメラ制御方法を実行するために使用され、複数の対応する機能モジュールを有する。それらの実施原理および技術的効果は同様であり、ここに再度記載しない。
【０１４８】
概して、カメラのデバイス情報は、カメラのユーザ情報、使用情報、および機能情報を含んでよい。本実施形態の特定の実施において、処理モジュール１３は特に次のように構成される。すなわち、カメラのユーザ情報および使用情報を検出応答メッセージから取得し、カメラのパラメータ情報をＵＥ上に表示し、カメラのサポートされる機能情報を検出応答メッセージから取得し、機能情報に対応する複数のファンクションキーをＵＥ上に生成する。例えば、カメラの機能情報は、ＰＴＺ、自動モーション検出等を含んでよく、ＵＥ上に生成される複数のファンクションキーは、ＰＴＺおよび自動モーション検出を実施するための複数のキーを含む。
【０１４９】
さらに、本実施形態によって提供されるＵＥにおいて、受信モジュール１２は、ユーザのファンクションキーのｏｎ／ｏｆｆ選択命令を受信するようさらに構成され、送信モジュール１１は、ユーザのファンクションキーのｏｎ／ｏｆｆ選択命令に従い、ｏｎ／ｏｆｆ制御命令をＩＭＳに送信するようさらに構成され、その結果、カメラがＩＭＳによって転送されるｏｎ／ｏｆｆ制御命令を受信後、カメラは対応する機能を有効または無効にする。
［実施形態７］
【０１５０】
図１１は、本発明の実施形態７による、カメラの概略構造図である。図１１に示される通り、本実施形態によって提供されるカメラは具体的には、受信モジュール２１および送信モジュール２２を含む。
【０１５１】
受信モジュール２１は、ＵＥによって送信され、ＩＭＳによって転送される検出要求メッセージを受信するよう構成され、検出要求メッセージは、検出命令を含む。
【０１５２】
送信モジュール２２は、受信モジュール２１によって受信される検出命令に従い、カメラのデバイス情報を伝送する検出応答メッセージをＩＭＳに送信するよう構成され、その結果、ＩＭＳは検出応答メッセージをＵＥにフィードバックし、検出応答メッセージは、ＵＥがデバイス情報に従い、対応するパラメータ情報および複数のファンクションキーを表示できるようにするために使用される。
【０１５３】
本発明の実施形態によって提供されるカメラは、本発明の実施形態３によって提供されるカメラ制御方法を実行するために使用され、複数の対応する機能モジュールを有する。それらの実施原理および技術的効果は同様であり、ここに再度記載しない。
【０１５４】
さらに、本実施形態によって提供されるカメラにおいて、受信モジュール２１は、ＵＥによって送信され、ＩＭＳによって転送される制御命令を受信するようさらに構成され、これに対応して、カメラは、受信モジュール２１によって受信される制御命令によって示される、ファンクションキーの操作に従い、対応する操作を実行するよう構成される処理モジュール２３をさらに含む。
【０１５５】
本実施形態において、アイテムリストがＵＥにおいてプリセットされる場合、アイテムリストは検出命令に含まれ、送信モジュール２２は、アイテムリストに従い、カメラのデバイス情報を伝送する検出応答メッセージをＩＭＳに送信するよう特に構成される。
【０１５６】
カメラのデバイス情報が、アイテムリストに存在しないアイテムを含む場合、検出応答メッセージは、ＵＥがデバイス情報に従い、ＵＥにおいてプリセットされたアイテムリストを更新できるようにするためにさらに使用されることに留意されたい。
【０１５７】
本発明の実施形態によって提供されるカメラは、本発明の実施形態４によって提供されるカメラ制御方法を実行するために使用され、複数の対応する機能モジュールを有する。それらの実施原理および技術的効果は同様であり、ここに再度記載しない。
【０１５８】
またさらに、本実施形態によって提供されるカメラ制御方法において、送信モジュール２２は次のようにさらに構成される。すなわち、デバイス情報がカメラの複数の機能の拡張によって増えた場合、ＩＭＳを使用することによって更新命令をＵＥに転送するよう構成され、その結果、ＵＥは更新命令に従い、プリセットされたアイテムリストを更新する。
【０１５９】
特定の実施において、カメラのデバイス情報は、カメラのユーザ情報、使用情報、および機能情報を含んでよく、受信モジュール２１は、ＵＥによって送信され、ＩＭＳによって転送されるｏｎ／ｏｆｆ選択命令を受信するようさらに構成され、これに対応して、処理モジュール２３は、受信モジュール２１によって受信されるｏｎ／ｏｆｆ選択命令に従い、対応する機能を有効または無効にするようさらに構成される。
［実施形態８］
【０１６０】
図１２は、本発明の実施形態８による、ＵＥの概略構造図である。図１２に示される通り、本実施形態によって提供されるＵＥは具体的には、送信機３１、受信機３２、およびプロセッサ３３を含む。
【０１６１】
送信機３１は、検出要求メッセージをＩＭＳに送信するよう構成されており、検出要求メッセージは検出命令を含み、ＩＭＳが検出要求メッセージをカメラに転送後、検出命令は、カメラに対し、検出命令に従い、デバイス情報を伝送する検出応答メッセージをＩＭＳに送信するよう命令するために使用され、その結果、ＩＭＳは検出応答メッセージをユーザ機器ＵＥに返す。
【０１６２】
受信機３２は、ＩＭＳによって返される検出応答メッセージを受信するよう構成される。
【０１６３】
プロセッサ３３は、受信機３２によって受信される検出応答メッセージ内に含まれるカメラのデバイス情報に従い、対応するパラメータ情報および複数のファンクションキーを表示するよう構成されており、その結果、ユーザは複数のファンクションキーに従い、カメラを制御する。
【０１６４】
本発明の実施形態によって提供されるＵＥは、本発明の実施形態１によって提供されるカメラ制御方法を実行するために使用され、複数の対応する物理的装置を有する。それらの実施原理および技術的効果は同様であり、ここに再度記載しない。
【０１６５】
さらに、本実施形態によって提供されるＵＥにおいて、受信機３２は、ユーザがファンクションキーを操作するときに生成される制御命令を受信するようさらに構成され、これに対応して、送信機３１は、制御命令をＩＭＳに送信するようさらに構成され、その結果、カメラがＩＭＳによって転送される制御命令を受信後、カメラは対応する操作を実行する。
【０１６６】
本実施形態において送信機３１によって送信される制御命令はまた、要求メッセージの形態で送信され、これに対応して、カメラは要求メッセージに従い、対応する応答メッセージを返してよいことに留意されたい。
【０１６７】
オプションで、本実施形態において、アイテムリストがＵＥにおいてプリセットされる場合、アイテムリストは検出命令に含まれ、その結果、カメラに対し、アイテムリストに従い、デバイス情報を伝送する検出応答メッセージをＩＭＳに送信するよう命令し、これに対応して、プロセッサ３３は、カメラのデバイス情報をＵＥにおいてプリセットされたアイテムリストにマッピングし、デバイス情報に対応するパラメータ情報および複数のファンクションキーを表示するよう特に構成される。
【０１６８】
本実施形態において、カメラのデバイス情報がアイテムリストに存在しないアイテムを含む場合、プロセッサ３３は次のようにさらに構成される。すなわち、受信機３２によって受信される検出応答メッセージ内に含まれるカメラのデバイス情報に従い、対応するパラメータ情報および複数のファンクションキーを表示する前に、カメラのデバイス情報に従い、ＵＥにおいてプリセットされたアイテムリストを更新するよう構成され、その結果、カメラのデバイス情報について、ＵＥは、対応するパラメータ情報を表示し、対応する複数のファンクションキーを生成する。同様に、プロセッサ３３は、ユーザによって送信される更新命令に従い、ＵＥにおいてプリセットされたアイテムリストを更新する、またはデバイス情報がカメラの複数の機能の拡張によって増えた場合、ＩＭＳによってＵＥに転送される更新命令を使用することによって、ＵＥにおいてプリセットされたアイテムリストを更新するようさらに構成されてよい。
【０１６９】
本発明の本実施形態によって提供されるＵＥは、本発明の実施形態２によって提供されるカメラ制御方法を実行するために使用され、複数の対応する物理的装置を有する。それらの実施原理および技術的効果は同様であり、ここに再度記載しない。
【０１７０】
概して、カメラのデバイス情報は、カメラのユーザ情報、使用情報、および機能情報を含んでよい。本実施形態の特定の実施において、プロセッサ３３は特に次のように構成される。すなわち、カメラのユーザ情報および使用情報を検出応答メッセージから取得し、カメラのパラメータ情報をＵＥ上に表示し、カメラのサポートされる機能情報を検出応答メッセージから取得し、機能情報に対応する複数のファンクションキーをＵＥ上に生成する。例えば、カメラの機能情報は、ＰＴＺ、自動モーション検出等を含んでよく、ＵＥ上に生成される複数のファンクションキーは、ＰＴＺおよび自動モーション検出を実施するための複数のキーを含む。
【０１７１】
またさらに、本実施形態によって提供されるＵＥにおいて、受信機３２は、ユーザのファンクションキーのｏｎ／ｏｆｆ選択操作を受信するようさらに構成され、これに対応して、送信機３１は、ユーザのファンクションキーのｏｎ／ｏｆｆ選択操作に従い、ｏｎ／ｏｆｆ制御命令をＩＭＳに送信するようさらに構成され、その結果、カメラがＩＭＳによって転送されるｏｎ／ｏｆｆ制御命令を受信後、カメラは対応する機能を有効または無効にする。
［実施形態９］
【０１７２】
図１３は、本発明の実施形態９による、カメラの概略構造図である。図１３に示される通り、本実施形態によって提供されるカメラは具体的には、受信機４１および送信機４２を含む。
【０１７３】
受信機４１は、ＵＥによって送信され、ＩＭＳによって転送される検出要求メッセージを受信するよう構成され、検出要求メッセージは、検出命令を含む。
【０１７４】
送信機４２は、受信機４１によって受信される検出命令に従い、カメラのデバイス情報を伝送する検出応答メッセージをＩＭＳに送信するよう構成され、その結果、ＩＭＳは検出応答メッセージをＵＥにフィードバックし、検出応答メッセージは、ＵＥがデバイス情報に従い、対応するパラメータ情報および複数のファンクションキーを表示できるようにするために使用される。
【０１７５】
本発明の本実施形態によって提供されるカメラは、本発明の実施形態３によって提供されるカメラ制御方法を実行するために使用され、複数の対応する物理的エンティティを有する。それらの実施原理および技術的効果は同様であり、ここに再度記載しない。
【０１７６】
さらに、本実施形態によって提供されるカメラにおいて、受信機４１は、ＵＥによって送信され、ＩＭＳによって転送される制御命令を受信するようさらに構成され、これに対応して、カメラは、受信機４１によって受信される制御命令によって示される、ファンクションキーの操作に従い、対応する操作を実行するよう構成されるプロセッサ４３をさらに含む。
【０１７７】
本実施形態において、アイテムリストがＵＥにおいてプリセットされる場合、アイテムリストは検出命令に含まれ、送信機４２は、アイテムリストに従い、カメラのデバイス情報を伝送する検出応答メッセージをＩＭＳに送信するよう特に構成される。
【０１７８】
カメラのデバイス情報が、アイテムリストに存在しないアイテムを含む場合、検出応答メッセージは、ＵＥがデバイス情報に従い、ＵＥにおいてプリセットされたアイテムリストを更新できるようにするためにさらに使用されることに留意されたい。
【０１７９】
本発明の本実施形態によって提供されるカメラは、本発明の実施形態４によって提供されるカメラ制御方法を実行するために使用され、複数の対応する物理的エンティティを有する。それらの実施原理および技術的効果は同様であり、ここに再度記載しない。
【０１８０】
またさらに、本実施形態によって提供されるカメラにおいて、送信機４２は次のようにさらに構成される。すなわち、デバイス情報がカメラの複数の機能の拡張によって増えた場合、ＩＭＳを使用することによって更新命令をＵＥに転送するよう構成され、その結果、ＵＥは更新命令に従い、プリセットされたアイテムリストを更新する。
【０１８１】
特定の実施において、カメラのデバイス情報は、カメラのユーザ情報、使用情報、および機能情報を含んでよく、受信機４１は、ＵＥによって送信され、ＩＭＳによって転送されるｏｎ／ｏｆｆ選択命令を受信するようさらに構成され、これに対応して、プロセッサ４３は、受信機４１によって受信されるｏｎ／ｏｆｆ選択命令に従い、対応する機能を有効または無効にするようさらに構成される。
【０１８２】
上述の複数の実施形態に関する記載があれば、当業者は、本発明はハードウェア、ファームウエア、またはそれらの組み合わせによって実施可能であることを明確に理解するであろう。本発明がソフトウェアによって実施される場合、上述の複数の機能は、コンピュータ可読媒体に格納されてよく、またはコンピュータ可読媒体における１若しくは複数の命令またはコードとして送信されてよい。コンピュータ可読媒体は、コンピュータストレージ媒体および通信媒体を含み、ここにおいて、通信媒体は、コンピュータプログラムがある場所から別の場所へと送信されることを可能にする任意の媒体を含む。ストレージ媒体は、コンピュータにアクセス可能な任意の利用可能な媒体であってよい。以下に例示を提供するが、限定を課すものではない。コンピュータ可読媒体は、ＲＡＭ、ＲＯＭ、ＥＥＰＲＯＭ、ＣＤ‐ＲＯＭ、若しくは別の光ディスクストレージ若しくはディスクストレージ媒体、若しくは別の磁気ストレージデバイス、または予期されるプログラムコードを命令の形態若しくはデータ構造の形態で伝送若しくは格納可能で、コンピュータによってアクセス可能な任意の他の媒体を含んでよい。また、任意の接続が、コンピュータ可読媒体として適切に定義されてよい。例えば、ソフトウェアがウェブサイト、サーバまたは別のリモートソースから、同軸ケーブル、光ファイバ／ケーブル、ツイストペア、デジタル加入者線（Ｄｉｇｉｔａｌ  Ｓｕｂｓｃｒｉｂｅｒ  Ｌｉｎｅ、ＤＳＬ）または赤外線、無線およびマイクロ波のような複数の無線技術を使用することによって送信される場合、上記同軸ケーブル、光ファイバ／ケーブル、ツイストペア、ＤＳＬまたは赤外線、無線およびマイクロ波のような複数の無線技術は、それらが属する固定媒体に含まれる。例えば、本発明によって使用されるディスク（Ｄｉｓｋ）およびディスク（ｄｉｓｃ）は、コンパクトディスクＣＤ、レーザディスク、光ディスク、デジタル多用途ディスク（ＤＶＤ）、フロッピー（登録商標）ディスクおよびブルーレイディスクを含み、ここにおいて、ディスク（ｄｉｓｋ）は概して磁気的手段によってデータをコピーし、ディスク（ｄｉｓｃ）はレーザ手段によって光学的にデータをコピーする。上述の組み合わせも、上記コンピュータ可読媒体の保護範囲に属するものとする。
【０１８３】
本明細書における複数の実施形態は、漸進的な態様ですべて記載されており、当該複数の実施形態における同一または類似の部分については、これらの実施形態に対する参照がなされてよく、各実施形態は他の実施形態との差異に重点を置いていることを留意されたい。特に、装置の実施形態は基本的に、方法の実施形態と同様であり、従って簡潔に記載されている。各ユニットの特定の機能に関する実行プロセスについては、方法の実施形態における部分的な記載に参照がなされてよい。記載された装置の実施形態は、単に例示である。別個の部品として記載されるユニットは、物理的に別個であってもなくてもよく、ユニットとして表示される部品は物理的なユニットであってもなくてもよく、それらは１つの場所に配置されてよく、または複数のネットワークユニットに分散されてよい。複数の本実施形態の解決手段の目的を実現すべく、実際の要件に従い、複数のモジュールのうちのいくつかまたはすべてが選択されてよい。当業者は、創造的努力なしに本発明の複数の実施形態を理解し、実施することができる。
【０１８４】
まとめとして、上記の記載は、本発明の技術的な解決手段に関する単なる例示的な実施形態であり、本発明の保護範囲を限定することを意図しない。本発明の精神および原理から逸脱することなくなされる任意の変更、均等な置換、または改善は、本発明の保護範囲に属するものとする。
【図１】
2017506007.tif 000003
【図２】
2017506007.tif 000004
【図３】
2017506007.tif 000005
【図４】
2017506007.tif 000006
【図５】
2017506007.tif 000007
【図６】
2017506007.tif 000008
【図７】
2017506007.tif 000009
【図８】
2017506007.tif 000010
【図９】
2017506007.tif 000011
【図１０】
2017506007.tif 000012
【図１１】
2017506007.tif 000013
【図１２】
2017506007.tif 000014
【図１３】
2017506007.tif 000015
【手続補正書】
【提出日】平成28年7月14日(2016.7.14)
【手続補正１】
【補正対象書類名】特許請求の範囲
【補正対象項目名】全文
【補正方法】変更
【補正の内容】
【特許請求の範囲】
【請求項１】
検出要求メッセージをＩＰマルチメディアサブシステムＩＭＳに送信する段階であって、前記検出要求メッセージは検出命令を含み、前記ＩＭＳが前記検出要求メッセージをカメラに転送した後、前記検出命令は、前記検出命令に従い、デバイス情報を伝送する検出応答メッセージを前記ＩＭＳに送信するよう前記カメラに対し、命令するために使用され、その結果、前記ＩＭＳは前記検出応答メッセージをユーザ機器ＵＥに返す、送信する段階と、
前記ＩＭＳによって返される前記検出応答メッセージを受信する段階と、
前記検出応答メッセージ内に含まれる前記カメラの前記デバイス情報に従い、対応するパラメータ情報および複数のファンクションキーを表示する段階であって、その結果、ユーザが前記複数のファンクションキーに従い、前記カメラを制御する、表示する段階と、を備える、カメラ制御方法。
【請求項２】
前記ユーザが前記ファンクションキーを操作するときに生成される制御命令を受信する段階と、
前記制御命令を前記ＩＭＳに送信する段階であって、その結果、前記カメラが前記ＩＭＳによって転送される前記制御命令を受信後、前記カメラは対応する操作を実行する、送信する段階と、をさらに備える、請求項１に記載の方法。
【請求項３】
アイテムリストが前記ＵＥにおいてプリセットされる場合、前記アイテムリストは前記検出命令に含まれ、その結果、前記カメラに対し、前記アイテムリストに従い、前記デバイス情報を伝送する前記検出応答メッセージを前記ＩＭＳに送信するよう命令し、
前記検出応答メッセージ内に含まれる前記カメラの前記デバイス情報に従い、対応するパラメータ情報および複数のファンクションキーを前記表示する段階は、
前記カメラの前記デバイス情報を、前記ＵＥにおいてプリセットされた前記アイテムリストにマッピングする段階と、前記デバイス情報に対応する前記パラメータ情報および複数のファンクションキーを表示する段階と、を含む、請求項１または２に記載の方法。
【請求項４】
前記カメラの前記デバイス情報が前記アイテムリストに存在しないアイテムを含む場合、前記検出応答メッセージ内に含まれる前記カメラの前記デバイス情報に従い、対応するパラメータ情報および複数のファンクションキーを前記表示する段階の前に、前記方法は、
前記カメラの前記デバイス情報に従い、前記ＵＥにおいてプリセットされた前記アイテムリストを更新する段階であって、その結果、前記カメラの前記デバイス情報について、前記ＵＥは、前記対応するパラメータ情報を表示し、対応する前記複数のファンクションキーを生成する、更新する段階をさらに備える、請求項３に記載の方法。
【請求項５】
前記ユーザによって送信される更新命令に従い、前記ＵＥにおいてプリセットされたアイテムリストを更新する段階、または
前記デバイス情報が前記カメラの複数の機能の拡張によって増えた場合、前記ＩＭＳによって前記ＵＥに転送される更新命令を使用することによって、前記ＵＥにおいてプリセットされた前記アイテムリストを更新する段階、をさらに備える、請求項１から４のいずれか一項に記載の方法。
【請求項６】
前記デバイス情報は、前記カメラのユーザ情報、使用情報、および機能情報を含み、前記検出応答メッセージ内に含まれる前記カメラの前記デバイス情報に従い、対応するパラメータ情報および複数のファンクションキーを前記表示する段階は、
前記カメラの前記ユーザ情報および使用情報を前記検出応答メッセージから取得し、前記カメラの前記パラメータ情報を前記ＵＥ上に表示する段階と、
前記カメラのサポートされる前記機能情報を前記検出応答メッセージから取得し、前記機能情報に対応する前記複数のファンクションキーを前記ＵＥ上に生成する段階と、を含む、請求項１から５のいずれか一項に記載の方法。
【請求項７】
前記ユーザの前記ファンクションキーのｏｎ／ｏｆｆ選択に従い、ｏｎ／ｏｆｆ制御命令を前記ＩＭＳに送信する段階であって、その結果、前記カメラが前記ＩＭＳによって転送される前記ｏｎ／ｏｆｆ制御命令を受信後、前記カメラは対応する機能を有効または無効にする、送信する段階をさらに備える、請求項６に記載の方法。
【請求項８】
ユーザ機器ＵＥによって送信され、ＩＰマルチメディアサブシステムＩＭＳによって転送される検出要求メッセージを受信する段階であって、前記検出要求メッセージは検出命令を含む、受信する段階と、
前記検出命令に従い、カメラのデバイス情報を伝送する検出応答メッセージを前記ＩＭＳに送信する段階であって、その結果、前記ＩＭＳは前記検出応答メッセージを前記ＵＥにフィードバックし、前記検出応答メッセージは、前記ＵＥが前記デバイス情報に従い、対応するパラメータ情報および複数のファンクションキーを表示できるようにするために使用される、送信する段階と、を備える、カメラ制御方法。
【請求項９】
前記ＵＥによって送信され、前記ＩＭＳによって転送される制御命令を受信する段階と、
前記制御命令によって示される、前記ファンクションキーの操作に従い、対応する操作を実行する段階と、をさらに備える、請求項８に記載の方法。
【請求項１０】
アイテムリストが前記ＵＥにおいてプリセットされる場合、前記アイテムリストは前記検出命令に含まれ、前記検出命令に従い、カメラのデバイス情報を伝送する検出応答メッセージを前記ＩＭＳに前記送信する段階は、
前記アイテムリストに従い、前記カメラの前記デバイス情報を伝送する前記検出応答メッセージを前記ＩＭＳに送信する段階を含む、請求項８または９に記載の方法。
【請求項１１】
前記カメラの前記デバイス情報が前記アイテムリストに存在しないアイテムを含む場合、前記検出応答メッセージは、前記ＵＥが前記デバイス情報に従い、前記ＵＥにおいてプリセットされた前記アイテムリストを更新できるようにするためにさらに使用される、請求項１０に記載の方法。
【請求項１２】
前記デバイス情報が前記カメラの複数の機能の拡張によって増えた場合、前記ＩＭＳを使用することによって更新命令を前記ＵＥに転送する段階であって、その結果、前記ＵＥは、前記更新命令に従い、プリセットされたアイテムリストを更新する、転送する段階をさらに備える、請求項８から１１のいずれか一項に記載の方法。
【請求項１３】
前記デバイス情報は、前記カメラのユーザ情報、使用情報、および機能情報を含み、前記方法は、
前記ＵＥによって送信され、前記ＩＭＳによって転送されるｏｎ／ｏｆｆ選択命令を受信する段階と、
前記ｏｎ／ｏｆｆ選択命令に従い、対応する機能を有効または無効にする段階と、をさらに備える、請求項８から１２のいずれか一項に記載の方法。
【請求項１４】
検出要求メッセージをＩＰマルチメディアサブシステムＩＭＳに送信する送信モジュールであって、前記検出要求メッセージは検出命令を含み、前記ＩＭＳが前記検出要求メッセージをカメラに転送した後、前記検出命令は、前記検出命令に従い、デバイス情報を伝送する検出応答メッセージを前記ＩＭＳに送信するよう前記カメラに対し、命令するために使用され、その結果、前記ＩＭＳは前記検出応答メッセージをユーザ機器ＵＥに返す、送信モジュールと、
前記ＩＭＳによって返される前記検出応答メッセージを受信する受信モジュールと、
前記受信モジュールによって受信される前記検出応答メッセージ内に含まれる前記カメラの前記デバイス情報に従い、対応するパラメータ情報および複数のファンクションキーを表示する処理モジュールであって、その結果、ユーザが前記複数のファンクションキーに従い、前記カメラを制御する、処理モジュールと、を備える、ユーザ機器。
【請求項１５】
前記受信モジュールは、前記ユーザが前記ファンクションキーを操作するときに生成される制御命令をさらに受信し、
前記送信モジュールは、前記制御命令を前記ＩＭＳにさらに送信し、その結果、前記カメラが前記ＩＭＳによって転送される前記制御命令を受信後、前記カメラは対応する操作を実行する、ことをさらに含む、請求項１４に記載のユーザ機器。
【請求項１６】
アイテムリストが前記ＵＥにおいてプリセットされる場合、前記アイテムリストは前記検出命令に含まれ、その結果、前記カメラに対し、前記アイテムリストに従い、前記デバイス情報を伝送する前記検出応答メッセージを前記ＩＭＳに送信するよう命令し、
前記処理モジュールは特に、前記カメラの前記デバイス情報を、前記ＵＥにおいてプリセットされた前記アイテムリストにマッピングし、前記デバイス情報に対応する前記パラメータ情報および複数のファンクションキーを表示する、請求項１４または１５に記載のユーザ機器。
【請求項１７】
前記カメラの前記デバイス情報が前記アイテムリストに存在しないアイテムを含む場合、前記受信モジュールによって受信される前記検出応答メッセージ内に含まれる前記カメラの前記デバイス情報に従い、前記対応するパラメータ情報および複数のファンクションキーを前記処理モジュールが表示する前に、前記カメラの前記デバイス情報に従い、前記ＵＥにおいてプリセットされた前記アイテムリストを更新する更新モジュールであって、その結果、前記カメラの前記デバイス情報について、前記ＵＥは、前記対応するパラメータ情報を表示し、対応する前記複数のファンクションキーを生成する、更新モジュールをさらに備え、
前記更新モジュールはさらに前記ユーザによって送信される更新命令に従い、前記ＵＥにおいてプリセットされた前記アイテムリストを更新する、または
前記デバイス情報が前記カメラの複数の機能の拡張によって増えた場合、前記ＩＭＳによって前記ＵＥに転送される更新命令を使用することによって、前記ＵＥにおいてプリセットされた前記アイテムリストを更新する、請求項１６に記載のユーザ機器。
【請求項１８】
前記デバイス情報は、前記カメラのユーザ情報、使用情報、および機能情報を含み、前記処理モジュールは特に、前記カメラの前記ユーザ情報および使用情報を前記検出応答メッセージから取得し、前記カメラの前記パラメータ情報を前記ＵＥ上に表示し、前記カメラのサポートされる前記機能情報を前記検出応答メッセージから取得し、前記機能情報に対応する前記複数のファンクションキーを前記ＵＥ上に生成する、請求項１４から１７のいずれか一項に記載のユーザ機器。
【請求項１９】
前記受信モジュールは、前記ユーザの前記ファンクションキーのｏｎ／ｏｆｆ選択操作をさらに受信し、
前記送信モジュールは、前記ユーザの前記ファンクションキーのｏｎ／ｏｆｆ選択操作に従い、ｏｎ／ｏｆｆ制御命令を前記ＩＭＳにさらに送信し、その結果、前記カメラが前記ＩＭＳによって転送される前記ｏｎ／ｏｆｆ制御命令を受信後、前記カメラは対応する機能を有効または無効にする、請求項１８に記載のユーザ機器。
【請求項２０】
ユーザ機器ＵＥによって送信され、ＩＰマルチメディアサブシステムＩＭＳによって転送される検出要求メッセージを受信する受信モジュールであって、前記検出要求メッセージは検出命令を含む、受信モジュールと、
前記受信モジュールによって受信される前記検出命令に従い、カメラのデバイス情報を伝送する検出応答メッセージを前記ＩＭＳに送信する送信モジュールであって、その結果、前記ＩＭＳは前記検出応答メッセージを前記ＵＥにフィードバックし、前記検出応答メッセージは、前記ＵＥが前記デバイス情報に従い、対応するパラメータ情報および複数のファンクションキーを表示できるようにするために使用される、送信モジュールと、を備える、カメラ。
【請求項２１】
前記受信モジュールは、前記ＵＥによって送信され、前記ＩＭＳによって転送される制御命令をさらに受信し、
処理モジュールが、前記受信モジュールによって受信される前記制御命令によって示される、前記ファンクションキーの操作に従い、対応する操作を実行する、請求項２０に記載のカメラ。
【請求項２２】
アイテムリストが前記ＵＥにおいてプリセットされる場合、前記アイテムリストは前記検出命令に含まれ、前記送信モジュールは、前記アイテムリストに従い、前記カメラの前記デバイス情報を伝送する前記検出応答メッセージを前記ＩＭＳに特に送信する、請求項２０または２１に記載のカメラ。
【請求項２３】
前記送信モジュールは、前記デバイス情報が前記カメラの複数の機能の拡張によって増えた場合、前記ＩＭＳを使用することによって更新命令を前記ＵＥにさらに転送し、その結果、前記ＵＥは、前記更新命令に従い、プリセットされたアイテムリストを更新する、請求項２０から２２のいずれか一項に記載のカメラ。
【請求項２４】
前記デバイス情報は、前記カメラのユーザ情報、使用情報、および機能情報を含み、前記受信モジュールは、前記ＵＥによって送信され、前記ＩＭＳによって転送されるｏｎ／ｏｆｆ選択命令をさらに受信し、
処理モジュールは、前記受信モジュールによって受信される前記ｏｎ／ｏｆｆ選択命令に従い、対応する機能をさらに有効または無効にする、請求項２０から２３のいずれか一項に記載のカメラ。
【手続補正２】
【補正対象書類名】明細書
【補正対象項目名】００３３
【補正方法】変更
【補正の内容】
【００３３】
本発明の複数の実施形態における技術的な解決手段をより明瞭に記載すべく、以下に当該実施形態または先行技術を記載するのに必要な添付図面を紹介する。以下の詳細な説明における添付図面は、本発明のいくつかの実施形態を示し、当業者はこれら添付図面から、創造的な取り組みをせずとも、他の図面をさらに導き出すことができることは明らかである
【手続補正３】
【補正対象書類名】明細書
【補正対象項目名】００４７
【補正方法】変更
【補正の内容】
【００４７】
本発明の複数の実施形態に係る目的、技術的な解決手段、および利点をより明確にするために、以下では、本発明の複数の実施形態における技術的な解決手段を、本発明の複数の実施形態における添付図面を参照しつつ、明確に記載する。記載された実施形態は本発明の複数の実施形態のうち一部であり、すべてではないことは明らかである。当業者が創造的努力なしに本発明の複数の実施形態に基づき、得られるすべての他の実施形態は、本発明の保護範囲に属することとなる。
［実施形態１］
【手続補正４】
【補正対象書類名】明細書
【補正対象項目名】００７８
【補正方法】変更
【補正の内容】
【００７８】
さらに、図５は本発明の実施形態による、さらなる別のカメラ制御方法のフローチャートである。図４に基づくと、本実施形態によって提供されるカメラ制御方法において、カメラのデバイス情報は、カメラのユーザ情報、使用情報、および機能情報を含んでよい。これに対応して、段階Ｓ２４０は具体的には次を含む。
【手続補正５】
【補正対象書類名】明細書
【補正対象項目名】０１８４
【補正方法】変更
【補正の内容】
【０１８４】
まとめとして、上記の記載は、本発明の技術的な解決手段に関する単なる例示的な実施形態であり、本発明の保護範囲を限定することを意図しない。本発明の精神および原理から逸脱することなくなされる任意の変更、均等な置換、または改善は、本発明の保護範囲に属するものとする。
（項目１）
検出要求メッセージをＩＰマルチメディアサブシステムＩＭＳに送信する段階であって、上記検出要求メッセージは検出命令を含み、上記ＩＭＳが上記検出要求メッセージをカメラに転送した後、上記検出命令は、上記検出命令に従い、デバイス情報を伝送する検出応答メッセージを上記ＩＭＳに送信するよう上記カメラに対し、命令するために使用され、その結果、上記ＩＭＳは上記検出応答メッセージをユーザ機器ＵＥに返す、送信する段階と、
上記ＩＭＳによって返される上記検出応答メッセージを受信する段階と、
上記検出応答メッセージ内に含まれる上記カメラの上記デバイス情報に従い、対応するパラメータ情報および複数のファンクションキーを表示する段階であって、その結果、ユーザが上記複数のファンクションキーに従い、上記カメラを制御する、表示する段階と、を備える、カメラ制御方法。
（項目２）
上記ユーザが上記ファンクションキーを操作するときに生成される制御命令を受信する段階と、
上記制御命令を上記ＩＭＳに送信する段階であって、その結果、上記カメラが上記ＩＭＳによって転送される上記制御命令を受信後、上記カメラは対応する操作を実行する、送信する段階と、をさらに備える、項目１に記載の方法。
（項目３）
アイテムリストが上記ＵＥにおいてプリセットされる場合、上記アイテムリストは上記検出命令に含まれ、その結果、上記カメラに対し、上記アイテムリストに従い、上記デバイス情報を伝送する上記検出応答メッセージを上記ＩＭＳに送信するよう命令し、
上記検出応答メッセージ内に含まれる上記カメラの上記デバイス情報に従い、対応するパラメータ情報および複数のファンクションキーを上記表示する段階は、
上記カメラの上記デバイス情報を、上記ＵＥにおいてプリセットされた上記アイテムリストにマッピングする段階と、上記デバイス情報に対応する上記パラメータ情報および複数のファンクションキーを表示する段階と、を含む、項目１または２に記載の方法。
（項目４）
上記カメラの上記デバイス情報が上記アイテムリストに存在しないアイテムを含む場合、上記検出応答メッセージ内に含まれる上記カメラの上記デバイス情報に従い、対応するパラメータ情報および複数のファンクションキーを上記表示する段階の前に、上記方法は、
上記カメラの上記デバイス情報に従い、上記ＵＥにおいてプリセットされた上記アイテムリストを更新する段階であって、その結果、上記カメラの上記デバイス情報について、上記ＵＥは、上記対応するパラメータ情報を表示し、対応する上記複数のファンクションキーを生成する、更新する段階をさらに備える、項目３に記載の方法。
（項目５）
上記ユーザによって送信される更新命令に従い、上記ＵＥにおいてプリセットされた上記アイテムリストを更新する段階、または
上記デバイス情報が上記カメラの複数の機能の拡張によって増えた場合、上記ＩＭＳによって上記ＵＥに転送される更新命令を使用することによって、上記ＵＥにおいてプリセットされた上記アイテムリストを更新する段階、をさらに備える、項目１から４のいずれか一項に記載の方法。
（項目６）
上記デバイス情報は、上記カメラのユーザ情報、使用情報、および機能情報を含み、上記検出応答メッセージ内に含まれる上記カメラの上記デバイス情報に従い、対応するパラメータ情報および複数のファンクションキーを上記表示する段階は、
上記カメラの上記ユーザ情報および使用情報を上記検出応答メッセージから取得し、上記カメラの上記パラメータ情報を上記ＵＥ上に表示する段階と、
上記カメラのサポートされる上記機能情報を上記検出応答メッセージから取得し、上記機能情報に対応する上記複数のファンクションキーを上記ＵＥ上に生成する段階と、を含む、項目１から５のいずれか一項に記載の方法。
（項目７）
上記ユーザの上記ファンクションキーのｏｎ／ｏｆｆ選択に従い、ｏｎ／ｏｆｆ制御命令を上記ＩＭＳに送信する段階であって、その結果、上記カメラが上記ＩＭＳによって転送される上記ｏｎ／ｏｆｆ制御命令を受信後、上記カメラは対応する機能を有効または無効にする、送信する段階をさらに備える、項目６に記載の方法。
（項目８）
上記機能情報はパン‐チルト‐ズームＰＴＺおよび自動モーション検出を含み、上記ＵＥ上に生成される上記複数のファンクションキーは、上記ＰＴＺおよび上記自動モーション検出の複数のキーを含む、項目６または７に記載の方法。
（項目９）
ユーザ機器ＵＥによって送信され、ＩＰマルチメディアサブシステムＩＭＳによって転送される検出要求メッセージを受信する段階であって、上記検出要求メッセージは検出命令を含む、受信する段階と、
上記検出命令に従い、カメラのデバイス情報を伝送する検出応答メッセージを上記ＩＭＳに送信する段階であって、その結果、上記ＩＭＳは上記検出応答メッセージを上記ＵＥにフィードバックし、上記検出応答メッセージは、上記ＵＥが上記デバイス情報に従い、対応するパラメータ情報および複数のファンクションキーを表示できるようにするために使用される、送信する段階と、を備える、カメラ制御方法。
（項目１０）
上記ＵＥによって送信され、上記ＩＭＳによって転送される制御命令を受信する段階と、
上記制御命令によって示される、上記ファンクションキーの操作に従い、対応する操作を実行する段階と、をさらに備える、項目９に記載の方法。
（項目１１）
アイテムリストが上記ＵＥにおいてプリセットされる場合、上記アイテムリストは上記検出命令に含まれ、上記検出命令に従い、カメラのデバイス情報を伝送する検出応答メッセージを上記ＩＭＳに上記送信する段階は、
上記アイテムリストに従い、上記カメラの上記デバイス情報を伝送する上記検出応答メッセージを上記ＩＭＳに送信する段階を含む、項目９または１０に記載の方法。
（項目１２）
上記カメラの上記デバイス情報が上記アイテムリストに存在しないアイテムを含む場合、上記検出応答メッセージは、上記ＵＥが上記デバイス情報に従い、上記ＵＥにおいてプリセットされた上記アイテムリストを更新できるようにするためにさらに使用される、項目１１に記載の方法。
（項目１３）
上記デバイス情報が上記カメラの複数の機能の拡張によって増えた場合、上記ＩＭＳを使用することによって更新命令を上記ＵＥに転送する段階であって、その結果、上記ＵＥは、上記更新命令に従い、上記プリセットされたアイテムリストを更新する、転送する段階をさらに備える、項目９から１２のいずれか一項に記載の方法。
（項目１４）
上記デバイス情報は、上記カメラのユーザ情報、使用情報、および機能情報を含み、上記方法は、
上記ＵＥによって送信され、上記ＩＭＳによって転送されるｏｎ／ｏｆｆ選択命令を受信する段階と、
上記ｏｎ／ｏｆｆ選択命令に従い、対応する機能を有効または無効にする段階と、をさらに備える、項目９から１３のいずれか一項に記載の方法。
（項目１５）
検出要求メッセージをＩＰマルチメディアサブシステムＩＭＳに送信するよう構成された送信モジュールであって、上記検出要求メッセージは検出命令を含み、上記ＩＭＳが上記検出要求メッセージをカメラに転送した後、上記検出命令は、上記検出命令に従い、デバイス情報を伝送する検出応答メッセージを上記ＩＭＳに送信するよう上記カメラに対し、命令するために使用され、その結果、上記ＩＭＳは上記検出応答メッセージをユーザ機器ＵＥに返す、送信モジュールと、
上記ＩＭＳによって返される上記検出応答メッセージを受信するよう構成された受信モジュールと、
上記受信モジュールによって受信される上記検出応答メッセージ内に含まれる上記カメラの上記デバイス情報に従い、対応するパラメータ情報および複数のファンクションキーを表示するよう構成された処理モジュールであって、その結果、ユーザが上記複数のファンクションキーに従い、上記カメラを制御する、処理モジュールと、を備える、ユーザ機器。
（項目１６）
上記受信モジュールは、上記ユーザが上記ファンクションキーを操作するときに生成される制御命令を受信するようさらに構成され、
上記送信モジュールは、上記制御命令を上記ＩＭＳに送信するようさらに構成され、その結果、上記カメラが上記ＩＭＳによって転送される上記制御命令を受信後、上記カメラは対応する操作を実行する、ことをさらに含む、項目１５に記載のユーザ機器。
（項目１７）
アイテムリストが上記ＵＥにおいてプリセットされる場合、上記アイテムリストは上記検出命令に含まれ、その結果、上記カメラに対し、上記アイテムリストに従い、上記デバイス情報を伝送する上記検出応答メッセージを上記ＩＭＳに送信するよう命令し、
上記処理モジュールは、上記カメラの上記デバイス情報を、上記ＵＥにおいてプリセットされた上記アイテムリストにマッピングし、上記デバイス情報に対応する上記パラメータ情報および複数のファンクションキーを表示するよう特に構成される、項目１５または１６に記載のユーザ機器。
（項目１８）
上記カメラの上記デバイス情報が上記アイテムリストに存在しないアイテムを含む場合、上記受信モジュールによって受信される上記検出応答メッセージ内に含まれる上記カメラの上記デバイス情報に従い、上記対応するパラメータ情報および複数のファンクションキーを上記処理モジュールが表示する前に、上記カメラの上記デバイス情報に従い、上記ＵＥにおいてプリセットされた上記アイテムリストを更新するよう構成された更新モジュールであって、その結果、上記カメラの上記デバイス情報について、上記ＵＥは、上記対応するパラメータ情報を表示し、対応する上記複数のファンクションキーを生成する、更新モジュールをさらに備え、
上記更新モジュールは上記ユーザによって送信される更新命令に従い、上記ＵＥにおいてプリセットされた上記アイテムリストを更新する、または
上記デバイス情報が上記カメラの複数の機能の拡張によって増えた場合、上記ＩＭＳによって上記ＵＥに転送される更新命令を使用することによって、上記ＵＥにおいてプリセットされた上記アイテムリストを更新するようさらに構成される、項目１７に記載のユーザ機器。
（項目１９）
上記デバイス情報は、上記カメラのユーザ情報、使用情報、および機能情報を含み、上記処理モジュールは、上記カメラの上記ユーザ情報および使用情報を上記検出応答メッセージから取得し、上記カメラの上記パラメータ情報を上記ＵＥ上に表示し、上記カメラのサポートされる上記機能情報を上記検出応答メッセージから取得し、上記機能情報に対応する上記複数のファンクションキーを上記ＵＥ上に生成するよう特に構成される、項目１５から１８のいずれか一項に記載のユーザ機器。
（項目２０）
上記受信モジュールは、上記ユーザの上記ファンクションキーのｏｎ／ｏｆｆ選択操作を受信するようさらに構成され、
上記送信モジュールは、上記ユーザの上記ファンクションキーのｏｎ／ｏｆｆ選択操作に従い、ｏｎ／ｏｆｆ制御命令を上記ＩＭＳに送信するようさらに構成され、その結果、上記カメラが上記ＩＭＳによって転送される上記ｏｎ／ｏｆｆ制御命令を受信後、上記カメラは対応する機能を有効または無効にする、項目１９に記載のユーザ機器。
（項目２１）
ユーザ機器ＵＥによって送信され、ＩＰマルチメディアサブシステムＩＭＳによって転送される検出要求メッセージを受信するよう構成された受信モジュールであって、上記検出要求メッセージは検出命令を含む、受信モジュールと、
上記受信モジュールによって受信される上記検出命令に従い、カメラのデバイス情報を伝送する検出応答メッセージを上記ＩＭＳに送信するよう構成された送信モジュールであって、その結果、上記ＩＭＳは上記検出応答メッセージを上記ＵＥにフィードバックし、上記検出応答メッセージは、上記ＵＥが上記デバイス情報に従い、対応するパラメータ情報および複数のファンクションキーを表示できるようにするために使用される、送信モジュールと、を備える、カメラ。
（項目２２）
上記受信モジュールは、上記ＵＥによって送信され、上記ＩＭＳによって転送される制御命令を受信するようさらに構成され、
処理モジュールが、上記受信モジュールによって受信される上記制御命令によって示される、上記ファンクションキーの操作に従い、対応する操作を実行するよう構成される、項目２１に記載のカメラ。
（項目２３）
アイテムリストが上記ＵＥにおいてプリセットされる場合、上記アイテムリストは上記検出命令に含まれ、上記送信モジュールは、上記アイテムリストに従い、上記カメラの上記デバイス情報を伝送する上記検出応答メッセージを上記ＩＭＳに送信するよう特に構成される、項目２１または２２に記載のカメラ。
（項目２４）
上記送信モジュールは、上記デバイス情報が上記カメラの複数の機能の拡張によって増えた場合、上記ＩＭＳを使用することによって更新命令を上記ＵＥに転送するようさらに構成され、その結果、上記ＵＥは、上記更新命令に従い、上記プリセットされたアイテムリストを更新する、項目２１から２３のいずれか一項に記載のカメラ。
（項目２５）
上記デバイス情報は、上記カメラのユーザ情報、使用情報、および機能情報を含み、上記受信モジュールは、上記ＵＥによって送信され、上記ＩＭＳによって転送されるｏｎ／ｏｆｆ選択命令を受信するようさらに構成され、
上記処理モジュールは、上記受信モジュールによって受信される上記ｏｎ／ｏｆｆ選択命令に従い、対応する機能を有効または無効にするようさらに構成される、項目２１から２４のいずれか一項に記載のカメラ。
【手続補正６】
【補正対象書類名】図面
【補正対象項目名】図１
【補正方法】変更
【補正の内容】
【図１】
2017506007.tif 000016
【手続補正７】
【補正対象書類名】図面
【補正対象項目名】図２
【補正方法】変更
【補正の内容】
【図２】
2017506007.tif 000017
【手続補正８】
【補正対象書類名】図面
【補正対象項目名】図４
【補正方法】変更
【補正の内容】
【図４】
2017506007.tif 000018
【手続補正９】
【補正対象書類名】図面
【補正対象項目名】図５
【補正方法】変更
【補正の内容】
【図５】
2017506007.tif 000019
【手続補正１０】
【補正対象書類名】図面
【補正対象項目名】図６
【補正方法】変更
【補正の内容】
【図６】
2017506007.tif 000020
【手続補正１１】
【補正対象書類名】図面
【補正対象項目名】図７
【補正方法】変更
【補正の内容】
【図７】
2017506007.tif 000021
【手続補正１２】
【補正対象書類名】図面
【補正対象項目名】図８
【補正方法】変更
【補正の内容】
【図８】
2017506007.tif 000022
【国際調査報告】
2017506007.tif 000023
2017506007.tif 000024
2017506007.tif 000025
2017506007.tif 000026